(57)【要約】【課題】複数の景品を瞬時に払い出し可能とさせる景品払出装置の提供。【解決手段】並べて配置された複数の払出物品Ｗを１毎または複数纏めて移動可能な移動手段１９と、  前記移動手段１９で移動させた払出物品を載置可能なスタッカ１５と、  前記スタッカ１５に載置された払出物品Ｗをスタッカ１５から排出可能な排出手段２４と、を備える物品払出装置１において、  前記スタッカ１５を複数備え、前記複数のスタッカ１５のうち１部または全部から、載置されている払出物品Ｗを前記排出手段２４によって纏めて排出させる。【選択図】図８
2010233878.tif 000002
【特許請求の範囲】
【請求項１】
並べて配置された複数の払出物品を１毎または複数纏めて移動可能な移動手段と、
前記移動手段で移動させた払出物品を載置可能なスタッカと、
前記スタッカに載置された払出物品をスタッカから排出可能な排出手段と、を備える物品払出装置において、
前記スタッカを複数備え、前記複数のスタッカのうち１部または全部から、載置されている払出物品を前記排出手段によって排出可能なことを特徴とする物品払出装置。
【請求項２】
前記複数のスタッカは、載置可能な最大収容物数が異なる請求項１に記載の物品払出装置。
【請求項３】
前記複数のスタッカは、最大収容物数が１および２の乗数倍である請求項２に記載の物品払出装置。
【請求項４】
前記複数のスタッカのうち、最大収容物数が１、２，３，５，１０であるスタッカを有する請求項２に記載の物品払出装置。
【請求項５】
前記移動手段は、スタッカに載置されている払出物品を払出手段が排出終了後に、払出物品をスタッカに載置させ、次に排出手段が排出するまでは待機状態を取る請求項１〜４いずれかに記載の物品払出装置。
【請求項６】
前記排出手段による排出がスタッカに載置されている払出物品を複数回排出することで１回の交換作業とする場合、前記移動手段は、交換作業終了後に、払出物品をスタッカに載置させ、次に排出手段による交換作業終了までは待機状態を取る請求項１〜５いずれかに記載の物品払出装置。
【請求項７】
前記排出手段は、スタッカから払出物品を押し出して排出させる押出部であって、押出部が所定の方向に押し出した後に他の方向へ押し出して排出させる複数の押出機構である請求項１〜６いずれかに記載の物品払出装置。
【請求項８】
前記押出部は、スタッカから払出物品を排出した際に払出物品を単独であるいは他の部材と共に保持可能な保持部材を備える請求項７に記載の物品払出装置。
【請求項９】
前記押出部を構成する押出機構の一部または全部は、スタッカが払出物品を載置された際に保持する保持部材に設ける開口部から挿入されて押出可能な請求項７に記載の物品払出装置。
【請求項１０】
前記排出手段は、スタッカに移動された払出物品を保持可能な保持部材の一部または全部を、払出物品を滑落または落下させるために動作可能な請求項１〜９いずれかに記載の物品払出装置。
【請求項１１】
前記排出手段は、スタッカに移動された払出物品を保持可能な保持部材に開口される開口部から突出させて設け払出物品を滑落または落下させるために動作可能な請求項１〜１０いずれかに記載の物品払出装置。
【請求項１２】
前記排出手段は、スタッカに移動された払出物品を保持可能な保持部材の一部または全部を、水平回転軸を支点に斜め方向あるいは下方へと回動動作させる位置をとることが可能であり、該排出手段を回動させて滑落あるいは落下位置とさせるための動作手段を備え、動作手段を動作させて払出物品を一斉に滑落あるいは落下させる請求項１〜１１いずれかに記載の物品払出装置。
【請求項１３】
前記複数のスタッカは、１の筐体を複数に区分して形成する請求項１〜１２いずれかに記載の物品払出装置。
【請求項１４】
前記並べて配置された複数の払出物品の並び方向とは異なる方向に前記複数のスタッカを並設配置し、移動手段は払出物品を一斉に複数のスタッカへと移動可能であり且つ払出物品が存在しないスタッカにのみ移動させる請求項１〜１３いずれかに記載の物品払出装置。
【請求項１５】
前記並べて配置された払出物品は、スタッカ側が開口または開口可能に形成された排出口を備える筐体により形成されるカセットであり、該カセットは払出物品の並び方向が回動軸となるように回動可能に形成され、排出口をスタッカ側となるように回動させることで払出物品をスタッカへ一斉に移動可能な請求項１４に記載の物品払出装置。
【請求項１６】
前記並べて配置された払出物品には、移動手段を該払出物品の側面に接触させて設け、移動手段が払出物品をスタッカ方向へ一斉に移動可能な請求項１４に記載の物品払出装置。
【請求項１７】
少なくとも前記スタッカと前記払出物品との間には、払出物品がスタッカ方向へ移動しないよう阻止可能な移動阻止部を備え、該移動阻止部を移動させることで払出物品をスタッカ方向へ移動可能な請求項１５あるいは請求項１６に記載の物品払出装置。
【請求項１８】
前記並べて配置された複数の払出物品と前記複数のスタッカとを並べて配置し、前記並べて配置された複数の払出物品および／または前記複数のスタッカは払出物品の並べてある方向へ移動可能であり、前記移動手段が各スタッカへ払出物品を１ずつ移動させる請求項１〜１３いずれかに記載の物品払出装置。
【請求項１９】
前記並べて配置された複数の払出物品と前記複数のスタッカとを並べて配置し、移動手段は、各スタッカが収容可能な最大収容物数の払出物品を一度に移動可能に設けられ、該移動手段は払出物品を、払出物品が載置されていないスタッカに選択的に移動させて載置させる請求項１〜１３いずれかに記載の物品払出装置。
【請求項２０】
前記排出手段は、前記複数のスタッカから所望数となるスタッカが選択されて排出可能にしてスタッカから排出させ、所望数の払出物品を纏めてから排出可能とする請求項１〜１９いずれかに記載の物品払出装置。
【請求項２１】
前記各スタッカには、スタッカに載置された払出物品がスタッカから移動出来ないように阻止するスタッカ移動阻止部材を設け、複数のスタッカのうち排出すべく選択されたスタッカに備えるスタッカ移動阻止部材を作動させて払出物品の移動阻止を解除し、選択されたスタッカに備える払出物品をスタッカから排出させる請求項２０に記載の物品払出装置。
【請求項２２】
前記排出手段の排出動作を阻止する排出動作阻止部材を備え、前記所望数の払出物品を纏めて排出する際には、前記排出動作阻止部材を動作させて排出手段が排出動作可能とさせる請求項２０に記載の物品払出装置。
【請求項２３】
前記物品払出装置には、前記排出手段によって排出された払出物品が収納される収納部を備え、該収納部は装置内部から装置外部へと払出物品を移動させる請求項１〜２２いずれかに記載の物品払出装置。
【請求項２４】
前記排出手段によって排出される払出物品を装置外部へと排出させる装置外部排出手段を備える請求項１〜２３いずれかに記載の物品払出装置。
【請求項２５】
前記排出手段によって排出される払出物品を装置外部へと排出させた際に、装置外部と装置内部とを遮断可能なシャッターを備える請求項１〜２４に記載の物品払出装置。
【請求項２６】
請求項１〜２５に記載する物品払出装置である景品払出装置と、
景品と交換すべく遊技媒体数に対応する遊技媒体数情報を入力する遊技媒体数情報入力手段と、前記遊技媒体数情報入力手段で入力された遊技媒体数情報から景品払出情報を算出し、該景品払出情報を出力する景品情報出力手段とを備える景品管理装置と、を具備し、
景品払出装置は、前記複数のスタッカのうち１部または全部から、載置されている払出景品を前記排出手段によって排出可能なことを特徴とする景品払出システム。
【請求項２７】
並べて配置された複数の払出物品を移動手段によって移動させる移動ステップと、
前記移動ステップで移動させた払出物品を複数備えるスタッカに載置させるスタッカ載置ステップと、
前記スタッカ載置ステップによって載置された払出物品を排出手段によって１部または全部のスタッカから選択的に排出させる排出ステップとからなることを特徴とする物品払出方法。
【発明の詳細な説明】
【技術分野】
【０００１】
この発明は、パチンコ機や回動式遊技機の遊技機器が設置される遊技場等に設置され、所謂、特殊景品と呼ばれる景品等の払出物品を利用者に払い出すことが可能な景品払出装置およびその方法並びにこの装置を用いた景品払出システムに関する。
【背景技術】
【０００２】
種々の場面で、利用者に物品を自動的に払い出す必要が有る。例えば、パチンコ機や回動式遊技機が設置される遊技場等では、利用者が遊技に勝利した場合の景品として、特殊景品と言われる景品が払出物品として払い出される。以下、この特殊景品を払出物品の例として説明する。
この特殊景品の払い出しには、例えばパチンコホールでは、景品払出装置が該ホールに設置されており、遊技者が利用している会員カードや非会員カードによって特定される獲得玉数に相当する景品払出可能な有価価値情報に応じて払い出すべき特殊景品の数量や種類が特定され、特殊景品の払出が行われる。
【０００３】
そして出願人は、特殊景品を払い出すことが可能な景品払出装置として、『景品払出機および景品払出システム』（特開２００５−２１１３３５ 、以下、単に従来例１という。）を発明し出願した。この従来例１は、『景品部材を上下方向に積層して収納する景品収納部と、前記景品収納部に収納された景品部材を下方から支持し、景品部材の搬送方向に対する垂直な水平面に対して所定の範囲で傾斜可能な支持部材と、前記支持部材に支持された景品部材を上方に押し上げるリフト機構と、前記リフト機構によって押し上げられた景品部材を排出する排出手段とを具備する』ものであり、図２６乃至図３０に表すように、景品払出機１０１０は、景品収納部１１００を備えていた。この景品収納部１１００は、特殊景品Ｗを積層して収納可能に形成されている。そして、景品収納部１１００の下部は、ほぼＣ字型に形成された景品ストッパ１１０１を固着してあり、積層される特殊景品Ｗの周囲部を支持し、中央部は下方に開放された状態としてある。そして、この景品ストッパ１１０１には、下方から上方へ特殊景品Ｗを下方から支持する支持部材１２０１を備えている。
【０００４】
この支持部材１２０１は、特殊景品Ｗを付勢しながら支持する際に、所定の角度範囲で特殊景品Ｗを傾斜した状態で支持可能となっている。そして、支持部材１２０１の下部には、支持部材１２０１を上方へ押し上げることで、支持部材１２０１の上部に支持されている特殊景品Ｗをも上方へ押し上げるために、景品支持部１３５０、支柱１３５１、平板１３５２、バネ併設棒逃がし部材１３５３、バネ１３５４、バネ併設棒１３５５、回動部材１３５６、回転軸１３５６ａなどからなるリフト機構を備えている。
そして更に、該リフト機構によって押し上げられた特殊景品Ｗの頂上にある一枚を横方向へと移動させて排出させるために、上部ユニット１０２２を備える。
【０００５】
上部水平ユニット１０２２には、前記リフト機構によって上方へと移動された特殊景品Ｗを上部で当接させて位置させる景品受ローラ１４０１を備え、上方へ移動された特殊景品Ｗを当接位置させている。更に上部ユニット１０２２には、景品受ローラ１４０１に当接した特殊景品Ｗとは直接当接しない回転ベルト１４０４を備え、該回転ベルト１４０４の外表面には、前記頂上にある一枚の特殊景品Ｗ側面と当接して該景品Ｗを水平方向へと押圧して移動させる景品押出爪１４０２を備えている。そして、回転ベルト１４０４が回転して景品押出爪１４０２が前記頂上にある一枚の特殊景品Ｗを押圧移動させて景品スタッカ部１４０３へと移動させるように構成してある。これら上部水平ユニット１０２２が排出手段を構成していた。
【０００６】
従って、従来例１では、上方に移動させて所定位置に位置させた特殊景品Ｗを一枚ずつ水平方向へと移動させることが可能となっている。
そして、この一枚ずつ移動された特殊景品Ｗは、景品スタッカ部１４０３上に所定の枚数を積層させて排出することで、所望枚数の特殊景品を払出可能に構成していた。
また、景品払出システムでは、上記景品払出機１０１０を用いて構成したシステムが提案された。
【０００７】
このように一枚ずつを確実に積層させることで、積層された特殊景品Ｗをリフトアップさせる量を、１枚の特殊景品Ｗの厚さから計算して所定枚数量をリフトアップさせていた従来例１以前の方法に比べ、特殊景品Ｗの形状が一定でなかったり、経年変化により変形する等して特殊景品Ｗの厚さが一定でなくなってしまった場合にも所定枚数を確実に計数可能としていた。
【先行技術文献】
【特許文献】
【０００８】
【特許文献１】特開２００５−２１１３３５公報
【発明の概要】
【発明が解決しようとする課題】
【０００９】
しかしながら、従来の景品払出機では、排出手段が一枚ずつ排出してスタッカ部１４０３へ積層させ、所定量となったところでやっと利用者に排出するので、特殊景品Ｗの枚数が数多くなると、一枚一枚スタッカ部１４０３へ移動させて行くのに時間を要し、利用者を待たせてしまうと言う問題点を有した。
【００１０】
そこでこの発明は上記問題点に鑑み、複数枚の特殊景品等の払出物品を素早く計数して排出可能とさせ、利用者を待たせることなく提供可能な物品払出装置およびその方法並びに物品払出システムを提供する。
【課題を解決するための手段】
【００１１】
この発明は計数してから提供するまでの時間を短くする物品払出装置として、
【００１２】
並べて配置された複数の払出物品を１毎または複数纏めて移動可能な移動手段と、
前記移動手段で移動させた払出物品を載置可能なスタッカと、
前記スタッカに載置された払出物品をスタッカから排出可能な排出手段と、を備える物品払出装置において、
前記スタッカを複数備え、前記複数のスタッカのうち１部または全部から、載置された払い出し物品を前記排出手段によって排出可能なことを特徴とする物品払出装置、
【００１３】
を提供する。
また、同装置を景品払出装置として用い、払出物品が払出景品であり、該景品払出装置と該景品の管理が可能な景品管理装置とからなる景品管理システムとして、
【００１４】
景品と交換すべく遊技媒体数に対応する遊技媒体数情報を入力する遊技媒体数情報入力手段と、前記遊技媒体数情報入力手段で入力された遊技媒体数情報から景品払出情報を算出し、該景品払出情報を出力する景品情報出力手段とを備える景品管理装置と、
並べて配置された複数の払出景品を１毎または複数纏めて移動可能な移動手段と、前記移動手段で移動させた払出景品を載置可能な複数のスタッカと、前記スタッカに載置された払出景品をスタッカから排出可能な排出手段とを備えて景品管理装置と通信可能に接続される景品払出装置と、を具備し、
景品払出装置は、前記複数のスタッカのうち１部または全部から、載置されている払出景品を前記排出手段によって排出可能なことを特徴とする景品払出システム、
【００１５】
を提供する。
そして、この物品払出装置では、例えば、払出物品を特殊景品とした場合、入力した指示情報に基づいて移動手段が複数のスタッカのうちの一部に選択的に特殊景品を移動させ、移動させられたスタッカに有る特殊景品を排出手段が排出することで払い出しを行うことが可能となり、払い出すべき複数のスタッカを選択して組み合わせることで意図した数の景品を即座に払い出すことができる。なお、全てのスタッカの最大収容物数が１の場合であり、スタッカ数が５以上有れば、任意の５のスタッカへ特殊景品を１個ずつ移動させて排出手段が排出しても良い。
【００１６】
また、前記排出手段による排出は、利用者である顧客の前面としたり、物品払出装置の他の機構が処理可能な位置としても良く、適宜選択することができる。
更にまた、移動手段は、並べて配置した複数のスタッカへ移動可能に形成し、複数のスタッカへ払出物品を１個ずつ移動させて移動可能に形成しても良いが、それぞれのスタッカに対して一度に払出可能に形成し、更に対応するスタッカへ複数個の払出物品を纏めて移動させるようにしても良い。
なお、並べて配置された払出物品は、上下方向へ並べられている場合のみではなく水平方向へ並べて配置されていても良く、あるいは傾斜させた状態に並べて配置されていても良く、更には並べられている状態は、払出物品相互が接触していても良く、適宜間隙を保って配置されていても良い。そして更には、払出物品が同一形状でも良いし異なる形状であっても良く、これらに対応出来るように移動手段、スタッカ、排出手段が形成されていればどの様に形成されていても良い。
【００１７】
そして景品払出システムは、前記物品払出装置を景品払出装置とし、景品管理装置では、遊技媒体数情報入力手段が、景品と交換すべく遊技媒体数に対応した払い出すべき景品の数量を特定可能な遊技媒体数情報を他の装置等から入力し、景品情報出力手段が該遊技媒体数情報から景品払出情報を算出する。
そして景品払出装置では、この景品払出情報に基づいて、排出手段が景品の排出を行う。
【００１８】
なお、上記景品払出システムは、以下に表す景品払出装置の何れかを採用してもよい。
更にこの発明では、
【００１９】
前記複数のスタッカは、載置可能な最大収容物数が異なる物品払出装置、
【００２０】
を提供する。従って、スタッカが収容出来る最大収容物数を変更することで、例えば、５個の特殊景品を払い出さなければいけないときには、最大収容物数が５のスタッカからのみ特殊景品を移動させる。また、払出数が７の場合であれば、最大収容物数が５のスタッカと２のスタッカとから特殊景品を移動させることで所望数の特殊景品を移動させ、排出手段から即座に払い出す。
また、
更に複数のスタッカの最大収容物数を特定してより効率の良い払い出しを行えるように、
【００２１】
前記複数のスタッカのうち、最大収容物数が１、２，３，５，１０であるスタッカを有する物品払出装置、
【００２２】
を提供し、更に、
【００２３】
前記複数のスタッカは、最大収容物数が１および２の乗数倍である物品払出装置、
【００２４】
を提供する。上記のように、複数のスタッカの収容枚数を異ならせ、且つ、順次大きな数となるような最大収容物数とすることで、スタッカの必要数を少なくしても多くの払出物品(払出景品）を払い出すことができ、これによりスタッカが占める占有体積を減少出来る。そして更に、スタッカの最大収容枚数を１および２の乗数倍にすることで、大量に払い出しを行う場合に、最大収容物数の大きなスタッカから順に選択して行くことで、対応出来る払出数の範囲を広げると共により少ないスタッカの利用で払出作業ができるので、少ない動作で払い出すこととなる。
更にこの発明では、スタッカへの払出物品(払出景品）の移動を効率よく行うものとして、
【００２５】
前記移動手段は、スタッカに載置されている払出物品を払出手段が排出終了後に、払出物品をスタッカに載置させ、次に排出手段が排出するまでは待機状態を取る物品払出装置、
【００２６】
および、
【００２７】
前記排出手段による排出がスタッカに載置されている払出物品を複数回排出することで１回の交換作業とする場合、前記移動手段は、交換作業終了後に、払出物品をスタッカに載置させ、次に排出手段による交換作業終了までは待機状態を取る物品払出装置、
【００２８】
を提供する。従って、物品払出装置は、排出手段による払出物品(払出景品）の排出である払出作業が終了すると、排出され空になったスタッカへ移動手段により即座に払出物品(払出景品）が移動されて待機状態を取ることとなる。
また、複数のスタッカからの排出が１度で所望数できない場合には複数回にわたって排出することで１度の交換作業となるが、この場合には、一度の交換作業が終了したところで、排出され空になったスタッカへ移動手段により即座に払出物品(払出景品）が移動されて待機状態を取ることとなる。
更に物品払出装置として、
【００２９】
前記排出手段は、スタッカから払出物品を押し出して排出させる押出部であって、押出部が所定の方向に押し出した後に他の方向へ押し出して排出させる複数の押出機構である物品払出装置、
【００３０】
および、
【００３１】
前記押出部は、スタッカから払出物品を排出した際に払出物品を単独であるいは他の部材と共に保持可能な保持部材を備える物品払出装置、
【００３２】
ならびに、
【００３３】
前記押出部を構成する押出機構の一部または全部は、スタッカが払出物品を載置された際に保持する保持部材に設ける開口部から挿入されて押出可能な物品払出装置、
【００３４】
を提供する。この場合には、払出物品（払出景品）を排出する排出手段が、押し出すことで排出させる押出部として機能し、例えば、この押出部を構成する第１の押出機構が、上下方向に払出物品（払出景品）が載置されたスタッカから横方向へ押圧することで払出物品（払出景品）をスタッカからいったん第２の押出機構へ移動させ、次いで第２の押出機構がスタッカから移動された払出物品（払出景品）を上方へと移動させて払出用開口部へと移動させ、次いで第３の押出機構が払出用開口部から排出させて最終的に払い出すようにすることで、複数のスタッカに有った払出物品（払出景品）を纏めて顧客へ払い出す。
【００３５】
なお、最終的な顧客への払出までの方向は水平方向および垂直方向に限定されるものではなく、複数の斜め方向等装置全体の構造等から適宜選択すればよく、どの様な方向への押出でも良い。
また、例えば上記のように構成する押出部のうちの、垂直方向へ移動させる第２の押出機構では、第１の押出機構によって押し出された払出物品（払出景品）を保持させる保持部材とは別に第２の押出機構を形成し、保持部材で保持させた状態で、該スタッカの保持部材に設けた間隙から上方へと移動して保持されていた払出物品（払出景品）を押し出す等行う。
更に物品払出装置として、
【００３６】
前記排出手段は、スタッカに移動された払出物品を保持可能な保持部材の一部または全部を、払出物品を滑落または落下させるために動作可能な物品払出装置、
【００３７】
を提供する。従って、排出手段は、スタッカに移動された払出物品（払出景品）を保持しているが、払出時には、該保持部材の一部または全部を動作させ、払出物品（払出景品）を滑落または落下させて顧客へと払い出す。
また、前記排出手段の他の形態として、
【００３８】
前記排出手段は、スタッカに移動された払出物品を保持可能な保持部材に開口される開口部から突出させる物品払出装置、
【００３９】
を提供する。従ってこの排出手段は、保持部材に開口された開口部から突出させて形成する。そして排出手段を動作させることで、保持部材に保持されている払出物品（払出景品）を滑落または落下させて排出させる。
具体的には、例えば、払出物品（払出景品）であるカード状の特殊景品を縦方向に位置させた状態で複数を横方向へ並設させた場合、保持部材がこれら並設された特殊景品を下部で支えている。この保持部材を、一端を水平方向の回動軸として保持部材が垂直方向となるまで稼動させると、保持部材によって並設状態で保持されていた特殊景品が下方へ落下して排出されることとなる。そして、落下した特殊景品をそのままあるいは他の位置まで移動させて顧客へと提供するなどが考えられる。勿論、払出物品（払出景品）である特殊景品は、表面が水平方向になるように位置させて垂直方向へ積層させて配置させていても同じである。
同様に、前記排出手段の他の形態として
【００４０】
前記排出手段は、スタッカに移動された払出物品を保持可能な保持部材の一部または全部を、水平回転軸を支点に斜め方向あるいは下方へと回動動作させる位置をとることが可能であり、該排出手段を回動させて滑落あるいは落下位置とさせるための動作手段を備え、動作手段を動作させて払出物品を一斉に滑落あるいは落下させる物品払出装置、
【００４１】
を提供する。従ってこの排出手段は、回動支点を中心に回動自在な排出手段の保持部材を、ソレノイドなどの装置からなる動作手段によって回動させ、払出物品（払出景品）の自重を利用して滑落あるいは落下可能とさせている。
更にこの発明では、
【００４２】
前記複数のスタッカは、１の筐体を複数に区分して形成する物品払出装置、
【００４３】
を提供する。この場合には、例えば一方向に並設した状態となるように複数のスタッカを位置の筐体内に形成する。詳細には、平たい筐体の内部に複数の隔壁を形成してスタッカを複数形成する。
更にこの発明では、
【００４４】
前記並べて配置された複数の払出物品の並び方向とは異なる方向に前記複数のスタッカを並設配置し、移動手段は払出物品を一斉に複数のスタッカへと移動可能であり且つ払出物品が存在しないスタッカにのみ移動させる物品払出装置、
【００４５】
を提供する。これによれば、例えば複数の払出物品（払出景品）の並び方向が垂直方向の場合に、スタッカを払出物品（払出景品）の水平方向へ並設する。勿論、払出物品（払出景品）の並び方向が水平方向の場合にはスタッカをこれに垂直な方向へと並設する。
そして、移動手段は、一斉に複数のスタッカ側へと払出物品（払出景品）を移動させようとする。この時、複数のスタッカのうち、払出物品（払出景品）が存在しないスタッカでは前記移動により新たに払出物品（払出景品）が載置されることとなり、既に払出物品（払出景品）が存在しているスタッカでは既に払出物品（払出景品）が存在しているので、新たな払出物品（払出景品）の移動は行われない。
従って、並べて配置された複数の払出物品（払出景品）は、複数のスタッカのうち払出物品（払出景品）が存在していないスタッカにのみ選択的に移動されて新たに配置されることとなる。
【００４６】
この移動手段による移動は、センサ等により払出物品（払出景品）が存在していないスタッカを検知しそのスタッカへのみ移動手段が移動するように形成しても良く、あるいは、全てのスタッカへ払出物品（払出景品）を移動しようとするが、既に払出物品（払出景品）が存在しているスタッカへは移動させようとしている払出物品（払出景品）が移動出来ないように形成しても良い。
更に該スタッカへの移動を行わせる手段を備える物品払出装置として、
【００４７】
前記並べて配置された払出物品は、スタッカ側が開口または開口可能に形成された排出口を備える筐体により形成されるカセットであり、該カセットは払出物品の並び方向が回動軸となるように回動可能に形成され、排出口をスタッカ側となるように回動させることで払出物品をスタッカへ一斉に移動可能な物品払出装置、
【００４８】
を提供する。この物品払出装置では、例えば、並べて配置された複数の払出物品（払出景品）が、スタッカ側が開口された筐体形状をなすカセットからなる。そして、例えば払出物品（払出景品）の並べてある方向が水平方向であれば、開口が下方に向いたときにカセットに収容されている払出物品（払出景品）は落下する。斜め方向であれば滑落する。
そして、払出物品（払出景品）をスタッカへ移動させないときには開口を落下あるいは滑落しない方向となるように回動させておく。
一方スタッカは、払出物品（払出景品）が滑落あるいは落下する方向へ配置しておく。
この状態で、カセットを回転させて開口をスタッカの方向へ向けると、払出物品（払出景品）はカセットからスタッカへと滑落あるいは落下しスタッカへ配置される。
また、並べて配置された複数の払出物品（払出景品）が垂直方向へ配置されている場合には、カセット内に、払出物品（払出景品）を常に開口側へ付勢する付勢手段等を備えておき、カセットの水平方向に設置されたスタッカ側に開口が面していないときには、他の阻害面等により払出物品（払出景品）の開口からの飛び出しを防ぎ、開口がスタッカ側へ面したときのみにスタッカ側へ払出物品（払出景品）が付勢力により移動するように形成する等すれば良い。
更にこの発明では、
【００４９】
前記並べて配置された払出物品には、移動手段を該払出物品の側面に接触させて設け、移動手段が払出物品をスタッカ方向へ一斉に移動可能な物品払出装置、
【００５０】
を提供する。従って、この場合には、移動手段は、並べて配置されている払出物品（払出景品）の並び方向と交差する方向へ挟持する。即ち、払出物品（払出景品）が垂直方向に並べて配置されている場合には、移動手段が払出物品（払出景品）を水平方向へ挟持する。そしてスタッカはこの移動手段の挟持方向と交差する水平方向に位置させることで、挟持している移動手段が払出物品（払出景品）をスタッカ側へ移動可能とする。挟持手段は、全てのスタッカに払出物品（払出景品）を移動可能となるように複数の払出物品（払出景品）を挟持して移動可能に形成する。
更に、スタッカへの払出物品の移動を阻害するようにした物品払出装置として、
【００５１】
少なくとも前記スタッカと前記払出物品との間には、払出物品がスタッカ方向へ移動しないよう阻止可能な移動阻止部を備え、該移動阻止部を移動させることで払出物品をスタッカ方向へ移動可能な物品払出装置、
【００５２】
を提供する。この発明では、並べて配置された複数の払出物品（払出景品）は、例えば、落下あるいは滑落によってスタッカへ移動させる場合に、払出物品（払出景品）がスタッカへ常に移動可能となるようスタッカ側を払出物品（払出景品）が移動自在に開口等しておき、この開口から滑落あるいは落下しないように並べて配置された複数の払出物品（払出景品）とスタッカとの間に移動阻止部を設けておく。この移動阻止部がソレノイドなどの簡単な装置により移動可能にしておき、この移動時に払出物品（払出景品）がスタッカ側へ移動出来るようにしておくことで、払出物品（払出景品）のスタッカへの移動を容易にできる。なお、この移動阻止部は、複数のスタッカそれぞれに設け、ここのスタッカについて払出物品（払出景品）が移動可能となるように選択的に作動可能としておいても良いし、全てのスタッカに設ける移動阻止部が一斉に動作するようにしておいてもよい。
更にこの発明では、
【００５３】
前記並べて配置された複数の払出物品と前記複数のスタッカとを並べて配置し、前記並べて配置された複数の払出物品および／または前記複数のスタッカは払出物品の並べてある方向へ移動可能であり、前記移動手段が各スタッカへ払出物品を１ずつ移動させる物品払出装置、
【００５４】
を提供する。この物品払出装置では、例えば、垂直方向に並べて配置された複数の払出物品（払出景品）の上部に排出手段を備えさせ、常に最上部の払出物品（払出景品）を移動可能とさせる。そして、並べて配置された複数の払出物品（払出景品）は垂直方向へ移動可能であり、光センサなどにより最上部の払出物品（払出景品）が所望のスタッカ部へと移動可能に形成しておく。そして、払出物品（払出景品）の存在しないスタッカがある場合には、そのスタッカ位置へと最上部の払出物品（払出景品）を移動させると共に移動手段がスタッカへと払出物品（払出景品）を搬送移動させる。この移動手段は、ベルトコンベヤを回転させて行うように構成しても良く、最上部の払出物品（払出景品）を蹴り出すように形成しても良く、適宜手段を選択すれば良い。
なお、スタッカ位置に最上部の払出物品（払出景品）を位置させるためには、スタッカを移動させて位置するように構成しても良く、また、並べて配置された複数の払出物品（払出景品）とスタッカとの両方を移動可能に構成してもよい。
更に、スタッカへの払出物品の移動を選択的に且つ一度に行わせる物品払出装置として、
【００５５】
前記並べて配置された複数の払出物品と前記複数のスタッカとを並べて配置し、移動手段は、各スタッカが収容可能な最大収容物数の払出物品を一度に移動可能に設けられ、該移動手段は払出物品を、払出物品が載置されていないスタッカに選択的に移動させて載置させる物品払出装置、
【００５６】
を提供する。この物品払出装置では、移動手段は各スタッカに対向した複数の払出物品（払出景品）を該スタッカの最大収容物数だけ一度に移動可能に構成されている。そして、移動手段は、物品払出装置への指示情報により、払出物品（払出景品）が存在していない空のスタッカへ選択的に移動させる。
更にこの発明では、
【００５７】
前記排出手段は、前記複数のスタッカから所望数となるスタッカが選択されて排出可能にしてスタッカから排出させ、所望数の払出物品を纏めてから排出可能とする請求項１〜１９いずれかに記載の物品払出装置、
【００５８】
を提供する。このように排出手段が複数のスタッカから所望数となるように払出物品（払出景品）を排出させて、排出された複数の払出物品（払出景品）を一旦纏めてから排出するように構成すると、顧客は複数のスタッカから排出された払出物品（払出景品）を纏めて受け取ることが可能となる。
更に、このように複数の払出物品（払出景品）を一旦纏める他の物品払出装置として、
【００５９】
前記各スタッカには、スタッカに載置された払出物品がスタッカから移動出来ないように阻止するスタッカ移動阻止部材を設け、複数のスタッカのうち排出すべく選択されたスタッカに備えるスタッカ移動阻止部材を作動させて払出物品の移動阻止を解除し、選択されたスタッカに備える払出物品をスタッカから排出させる物品払出装置、
【００６０】
を提供する。この装置では、各スタッカに、スタッカへ移動された払出物品（払出景品）が移動しないようにさせるスタッカ移動阻止部材を備え、このスタッカ移動阻止部材を作動させることで、例えば、排出手段が押出部であり複数の押出機構によって形成されている場合、スタッカに備える第１の押出機構が動作するのをこのスタッカ移動阻止部材によって阻止可能となる。具体的には例えばスタッカ移動阻止部材をソレノイドにより阻止状態と解除状態との間で動作可能とさせると、第１の押出機構がスタッカに有る払出物品（払出景品）を常に排出する方向に付勢する手段であっても、スタッカ移動阻止部材が阻止状態を取るように移動されていることでスタッカからの払出物品（払出景品）の排出をしない状態を取り、このスタッカ移動阻止部材をスタッカ毎に選択的に作動させることで所望数の払出物品（払出景品）を排出する。
また、スタッカに移動された複数の払出物品（払出景品）を滑落あるいは落下させることで排出させる場合には、傾斜して設ける排出手段に、滑落あるいは落下を阻害するためのスタッカ移動阻止部材を備え、ソレノイドなどの装置により該スタッカ移動阻止部材を作動させてスタッカから払出物品（払出景品）を滑落あるいは落下させて行う。
更に排出手段の動作を制御可能とする物品払出装置として、
【００６１】
前記排出手段の排出動作を阻止する排出動作阻止部材を備え、前記所望数の払出物品を纏めて排出する際には、前記排出動作阻止部材を動作させて排出手段が排出動作可能とさせる物品払出装置、
【００６２】
を提供する。この発明では、例えば排出手段がスタッカ上部に積層された払出物品（払出景品）を斜め方向へ回動することで滑落させてスタッカから排出させる場合には、排出動作阻止部材をソレノイドなどの装置によって斜め方向への回動を制御可能とさせ、滑落させて排出させるときには滑落可能な状態へと回動させる。また、排出させない場合には、滑落しない状態即ち水平な状態と維持するように動作する。
また、払出物品（払出景品）であるカード状の特殊景品を縦方向に位置させた状態で複数を横方向へ並設させた場合、保持部材がこれら並設された特殊景品を下部で支えている。この保持部材を、一端を水平方向の回動軸として保持部材が垂直方向となるまで稼動させると、保持部材によって並設状態で保持されていた特殊景品が下方へ落下して排出されることとなるが、この保持部材を、排出動作阻止部材によって移動制御可能とさせる。
更に、排出手段によって排出される払出物品を装置外部へ移動させる物品払出装置として、
【００６３】
前記物品払出装置には、前記排出手段によって排出された払出物品が収納される収納部を備え、該収納部は装置内部から装置外部へと払出物品を移動させる物品払出装置、
【００６４】
を提供する。この収納部は、例えば排出手段から下方へと滑落あるいは落下により収納される場合には引き出し状に形成され、装置内部で一旦複数の払出物品（払出景品）を収納して後、顧客側等所望の装置外部へと移動して払出物品（払出景品）を払い出す。この引き出し状の収納部は、更に他の引き出し状等に形成される収納部に収納されてから装置外部へ移動されるように形成しても良く、あるいは、複数段に形成して装置外部へ移動可能に形成しても良い。
更にこの発明では、
【００６５】
前記排出手段によって排出される払出物品を装置外部へと排出させる装置外部排出手段を備える物品払出装置、
【００６６】
を提供する。従って、排出手段が排出する位置に装置外部排出手段を備え、この装置外部排出手段が一旦排出された払出物品（払出景品）を纏めて装置外部へと排出させ、顧客等に受け取らせる。
装置外部排出手段としては、例えば排出手段が装置上部へ移動して装置外部排出手段によって払い出すテーブル部と同レベルとなるように位置され、この状態で該テーブル部を装置外部へと押し出すように移動して排出手段によって排出された払出物品（払出景品）を装置外部へと移動させる等、適宜装置が考えられる。なお、外部排出手段は、払出物品（払出景品）を押し出す以外にも、例えば払出口から滑落させて受け取り部から受け取らせるとか、装置上方へと移動して装置外部へ払出物品（払出景品）を位置させて利用者に取らせるなど他の方法でも良い。
更にこの発明では、
【００６７】
前記排出手段によって排出される払出物品を装置外部へと排出させた際に、装置外部と装置内部とを遮断可能なシャッターを備える装置外部排出手段を備える物品払出装置、
【００６８】
を提供する。従って、例えば上記のように、前記外部排出手段が押出装置のように構成されてテーブル上の払出物品（払出景品）を装置外部へ移動させる場合に、該外部排出手段が払出物品（払出景品）を外部へ移動させるために開口された開口部にシャッターを備えさせ、該外部排出手段が装置内部から払出物品（払出景品）を外部へ移動させるときに開口部を開口するようにシャッターを移動させ、該外部排出手段が装置外部に払出物品（払出景品）を位置させてから装置内部へと戻った時にシャッターを閉じるように構成する。払出物品（払出景品）の装置外部への払出が、引き出し状等に形成される収納部によって行われる際には、装置外部への払出を行わないときのシャッターとして該収納部の開口側側面が作用し、払い出した際には収納部の開口とは反対側の側面がシャッターとして作用する。
【００６９】
そしてまた、物品払出装置に於ける物品の払出方法として請求項５１に
【００７０】
並べて配置された複数の払出物品を移動手段によって複数備えるスタッカに移動載置させるスタッカ載置ステップと、
前記スタッカ載置ステップによって載置された払出物品を排出手段によって１部または全部のスタッカから選択的に排出させる排出ステップとからなることを特徴とする物品払出方法、
【００７１】
を提供する。この物品払出方法によれば、スタッカ載置ステップが払出物品をスタッカへ移動させる。そして、払出物品が載置された各スタッカのうち、入力する情報によって特定される１部または全部のスタッカから払出物品を排出させる。
【発明の効果】
【００７２】
この発明の物品払出装置および景品払出システムによれば、物品払出装置あるいはその他の装置が入力した指示情報に基づいて、払い出すべきスタッカが、一部あるいは全部というように選択され、排出手段が選択されたスタッカから払出物品を払い出せるので、スタッカを数多く用意しておくことで排出手段による一度の排出作業で払い出すべき払出物品全ての払い出しを行うことが可能であるという効果を有する。
また、払い出しが終了すると、空になったスタッカには移動手段によって新たに払出物品(払い出し景品)が補充されるので、次の払い出し時には前記同様瞬時に払出物品(払出景品）の払い出しが行える。
【００７３】
また、複数有るスタッカに収容出来る払出物品(払出景品）の最大収容物数を異ならせることで、例えば、最大収容物数が１０や２０のスタッカを夭死しておけば、大量の払出物品（払出景品）を払い出す際に、これら最大収容物数が大きなスタッカを選択することで、複数のスタッカの数を少なくしても所望の数の払出物品（払出景品）を一度の排出作業で払い出すことができる。
【００７４】
そして、複数のスタッカの最大主要物数を異ならせた例として、１，２，４，８，１６・・・・と言う２の乗数倍の数と１とを最大主要物数とするスタッカを備えることで、払出物品（払出景品）を最小数のスタッカで所望数払い出すことが可能となる。同様に、１，２，３，５，１０であるスタッカを用意することで同様の効果を有する。
【００７５】
更にこの発明では、スタッカへ払出物品（払出景品）を載置させる移動手段が、所望数の払出物品（払出景品）を排出手段が払出作業排出した後に直ちにスタッカへ払出物品（払出景品）を補充出来るので、排出手段による払出作業の終了後でも直ちに次の払出作業を行うことが可能であり、利用者を待たせることの少ない物品払出装置および景品払出システムを提供可能である。
【００７６】
また、物品払出装置では、排出手段が払出物品（払出景品）を押圧して排出させる押出部によって構成し、この押出部を更に複数の押出機構によって構成することで、払出物品（払出景品）を押圧する方向を複数方向とすることが可能となり、例えば、スタッカが水平方向に支持部を備えてこの支持部に垂直方向に積層された払出物品（払出景品）を、第１の押出機構が水平方向へいったん移動させて、複数のスタッカから払い出すべき数の払出物品（払出景品）を纏め、この纏められた払出物品（払出景品）を第２の押出機構が上方へと移動させるなど、排出手段を複数の押出機構によって構成することで、装置を構成するスタッカ等の位置に関係なく自由な場所への払出物品（払出景品）の払い出しが可能となるという効果を有する。
【００７７】
そして、他の押出部を用いた物品払出装置として、前記押出部を構成する押出機構が、スタッカから払出物品（払出景品）を押し出した際にこれらを保持するための保持部材の少なくとも一部として構成することが可能である。また、押出部を構成する押出機構の少なくとも一部がスタックに載置された払出物品（払出景品）をスタッカから押し出す際に、開口から出るようにして払出物品（払出景品）を移動出来る。
【００７８】
また、排出手段が払出物品を落下あるいは滑落させるよう構成した物品払出装置では、排出手段は、スタッカから払出物品（払出景品）を移動させるために、スタッカに保持されている払出物品（払出景品）を斜めにして滑落させるか保持を解除して落下させるかして排出させるように動作するので、払出物品（払出景品）を移動させるための移動を、該物品の自重によって行うことが可能となり排出するための機構を簡便にできるという効果を有する。
【００７９】
そして更に、払出物品を滑落あるいは落下させる際に開口から行わせる物品払出装置では、排出手段は、スタッカが払出物品（払出景品）を保持している保持部材に下方へ落下あるいは滑落させるための開口を備えて自由落下あるいは滑落させるように構成した場合でも、排出手段を該開口から突出させて自重による落下あるいは滑落を阻止できると共に、単に突出している状態から後退させる等して突出を解除させるという簡単な構造とするだけで、該物品の自重による排出動作を実現出来るという効果を有する。
【００８０】
同様に垂直方向に保持された払出物品を保持部材が保持している物品払出装置では、排出手段は、払出物品（払出景品）を滑落あるいは落下させるべくスタッカに保持しているばあいに、水平に設けた回動軸を回動支点に回動することで、保持された払出物品（払出景品）を滑落あるいは落下させて排出させることが可能となり、回動させるという極小さな動きで、払出物品（払出景品）の自重による排出を実現することが可能となる。
【００８１】
また一筐体を区分することで複数のスタッカを該筐体に構成する物品払出装置では、例えば平たい筐体の内部に複数の隔壁を形成してスタッカを複数形成する等して一方向に並設した状態となるように複数のスタッカを１つの筐体内に形成することが可能なので、複数のスタッカを安価で提供できるという効果を有する。
【００８２】
更にこの発明では、払出物品（払出景品）が垂直方向に複数積層されている場合に、この複数の払出物品（払出景品）と水平方向に複数並べてスタッカを設けることで、移動手段はこの複数の払出物品（払出景品）のうちスタッカへ移動させる分を一斉に移動可能とできるので、移動手段によるスタッカへの移動を短時間で行うことができるという効果を有する。勿論、払出物品（払出景品）の積層方向が水平方向の場合には、スタッカを積層された払出物品（払出景品）の下方等に設置すれば同様の効果を備える。
【００８３】
更に並べて配置された複数の払出物品が、カセット収納された状態や該払出物品そのものがカセットを形成する物品払出装置では、並べて配置された複数の払出物品（払出景品）が、並設されるスタッカ側を開口して形成され且つ開口をスタッカ側およびスタッカ側ではない方向へと回動可能なので、該開口部をスタッカ側に向けることでカセット内に有る払出物品をスタッカへ一斉に移動できるという効果を有し、排出手段がスタッカに載置された払出物品（払出景品）を排出後に前記スタッカへの移動を行えば、次の排出手段による排出が直ぐに行えるという効果を有する。
そして例えば、払出物品（払出景品）の並べてある方向が水平方向であれば、開口が下方あるいは斜め下方に向いたときにカセットに収容されている払出物品（払出景品）は落下あるいは滑落する。
【００８４】
更に上記のように払出物品（払出景品）を一斉に移動可能としたものとして複数並べて配置された払出物品（払出景品）の正面にスタッカが位置する物品払出装置を提供するので、該払出物品（払出景品）の側面に移動手段を設けて一斉に移動可能とさせるので、例えば該払出物品（払出景品）を前記カセットで形成する場合などには、該カセットをセットする方向を上下方向や前後方向のいずれかからセットすることができるので、装置の設計自由度を広げることができるという効果を有する。
【００８５】
そして、並べて配置された複数の払出物品（払出景品）とスタッカとの間に、スタッカへの移動を記載する移動阻止部材を設ける物品払出装置では、上記効果に加え、移動手段等他の手段が必要でなくなるという効果を有する。例えば該払出物品（払出景品）を移動手段が一斉にスタッカ側へ移動させようとしたときに、該移動阻止部材が無い場合であれば、既に払出物品（払出景品）が有るスタッカへ該物品が一緒に移動してしまわないように、例えば既にある払出物品（払出景品）に新たに移動されようとする払出物品（払出景品）が当接したときに移動手段自身が移動を行われないような力で押圧するように設計するなどの制御が必要となるが、移動阻止部材が移動を阻止できる。
【００８６】
更にこの発明では、例えば垂直方向に並べて配置された複数の払出物品（払出景品）の上部に排出手段を備えさせ、常に最上部の払出物品（払出景品）を移動可能とさせる物品払出装置を提供するので、移動手段が、並べて配置された複数の払出物品（払出景品）から各スタッカへの払出物品（払出景品）を一枚ずつ各スタッカが最大主要物数となるまで移動させるので、スタッカへの払出物品（払出景品）の移動枚数を誤ることがなく、確実に移動可能であるという効果を有する。しかも、移動手段によるスタッカへの移動は、スタッカから排出する顧客への払出物品（払出景品）の排出とは関わりのないので、顧客への払い出し自体は一度でスムーズに行うことができ、支障を来すことがない。
【００８７】
移動手段は各スタッカに対向した複数の払出物品（払出景品）を該スタッカの最大収容物数だけ一度に移動可能に構成する物品払出装置では、複数のスタッカが並べて配置された複数の払出物品（払出景品）と並べて配置され、しかも、移動手段が各スタッカの最大主要物数を前記払出物品（払出景品）から一斉に押出可能なので、複数のスタッカのうち払出物品（払出景品）が存在していないスタッカに移動させる押出部のみを作動させて払出物品（払出景品）を該スタッカへ移動させることが可能なので、払出物品（払出景品）の移動が必要なスタッカを選択して移動させることが可能となる。
【００８８】
排出手段が複数のスタッカから所望数となるように払出物品（払出景品）を排出させて、排出された複数の払出物品（払出景品）を一旦纏めてから排出するように構成する物品払出装置では、顧客は複数のスタッカから排出された払出物品（払出景品）を纏めて受け取ることが可能となる。
【００８９】
スタッカへ移動された払出物品（払出景品）が移動しないようにさせるスタッカ移動阻止部材を各スタッカに備える物品払出装置では、例えば、排出手段が押出部であり複数の押出機構によって形成されている場合、スタッカに備える第１の押出機構が動作するのを進退可能にするなど簡単な構造で払出物品（払出景品）の移動を阻止でき、誤排出や誤落下等の自己を未然に防ぐことが可能となる。そして、スタッカ移動阻止部材をソレノイドにより阻止状態と解除状態との間で動作可能とさせると、払出物品（払出景品）を常に排出する方向に付勢する手段であっても、スタッカ移動阻止部材が阻止状態を取るように移動されていることでスタッカからの払出物品（払出景品）の排出をしない状態を取る。そして、払い出し所望数となるようにスタッカ毎にスタッカ移動阻止部材を選択的に作動させることで所望数の払出物品（払出景品）を排出することができる。
【００９０】
前記排出手段の排出動作を阻止する排出動作阻止部材を備えて前記所望数の払出物品を纏めて排出する際には、前記排出動作阻止部材を動作させて排出手段が排出動作可能とさせる物品払出装置では、例えば排出手段がスタッカ上部に積層された払出物品（払出景品）を斜め方向へ回動することで滑落させてスタッカから排出させる場合には、排出動作阻止部材が該回動を制御して滑落させるか滑落可能とさせるかを選択出来るので、やはり簡単な構造で、スタッカからの払出物品（払出景品）の滑落あるいは落下を制御可能となる効果を有する。特に、カード状の特殊景品を縦方向に位置させた状態で複数を横方向へ並設させた場合、この特殊景品を下部で支えている保持部材を垂直方向となるまで稼動させて落下して排出されることができる。
【００９１】
更にまた、排出手段がスタッカ上部に積層された払出物品（払出景品）を斜め方向へ回動することで滑落させてスタッカから排出させる物品払出装置では、収納部を滑落あるいは落下された払出物品（払出景品）の収納可能に上部を開口したは引き出し状に形成すれば、装置内部で一旦複数の払出物品（払出景品）を収納して後、顧客側等所望の装置外部へと移動して払出物品（払出景品）を払い出すことが可能となり、顧客等に払い出す際に払出物品を一纏まりにして払い出すことが可能となるという効果を有する。そして、この引き出し状の収納部を他の引き出し状等に形成される収納部に収納されてから装置外部へ移動されるように形成する、他の収納部を排出する箇所を選択出来たり、他の収納部内で払出物品（払出景品）を整理出来る等の効果を有する。
【００９２】
前記収納部が装置内部から装置外部へと払出物品を移動させる物品払出装置では、装置外部排出手段が払出物品（払出景品）を装置外部へと払い出せるので、装置外部排出手段が顧客等へ直接払い出すことが可能となり、完全なオートメーション化が実現でききる。
【００９３】
排出手段によって排出される払出物品を装置外部へと排出させた際に、装置外部と装置内部とを遮断可能なシャッターを備える装置外部排出手段を備える物品払出装置では、前記装置外部排出手段が直接的に装置外部へ払出物品（払出景品）を払い出す際、払出口等をシャッターが封鎖するので、装置内部へのいたずらや不正などを防止することが可能である。
【図面の簡単な説明】
【００９４】
【図１】この発明の実施形態を表す正面側斜視説明図
【図２】この発明の実施形態を表す背面側斜視説明図
【図３】背面扉を開いた状態を表す背面側斜視説明図
【図４】景品搬送ユニットを表す斜視説明図
【図５】景品搬送ユニットの搬送時を表す斜視説明図
【図６】景品搬送ユニットの収納部を表す斜視説明図
【図７】景品搬送ユニットを表す一部拡大斜視説明図
【図８】この発明の実施形態の内部構造を表す断面説明図
【図９】この発明の実施形態の動作状態を表す断面説明図
【図１０】この発明の実施形態の動作状態を表す断面説明図
【図１１】この発明の実施形態の動作状態を表す断面説明図
【図１２】この発明の実施形態の動作状態を表す断面説明図
【図１３】この発明の実施形態の動作状態を表す断面説明図
【図１４】この発明の実施形態の動作状態を表す断面説明図
【図１５】この発明の実施形態の動作状態を表す断面説明図
【図１６】この発明の実施形態の動作状態を表す断面説明図
【図１７】この発明の実施形態の動作状態を表す断面説明図
【図１８】この発明の実施形態の動作状態を表す断面説明図
【図１９】第２実施形態を表す断面説明図
【図２０】第３実施形態を表す断面説明図
【図２１】第４実施形態を表す断面説明図
【図２２】第５実施形態を表す断面説明図
【図２３】景品払い出しシステムの構成を表す説明図
【図２４】景品管理装置の構成を表すブロック図
【図２５】景品払出方法を表すフローチャート説明図
【図２６】従来例を表す全体説明図
【図２７】従来例の部品を表す斜視説明図
【図２８】従来例の一部拡大切欠説明図
【図２９】従来例の内部構造を表す断面説明図
【図３０】従来例の内部構造を表す断面説明図
【発明を実施するための形態】
【００９５】
以下に、この発明の実施形態を、図面に基づいて説明する。
【００９６】
１は、この発明の実施例であるに物品払出装置である景品払出装置である。物品払出装置１（以下、景品払出装置１として説明する。）は、この実施例ではパチンコ機による遊技や回胴式遊技機による遊技をさせる遊技ホールにおいて遊技の結果得られるパチンコ景品などの特殊景品を払出可能な景品払出装置として説明する。
【００９７】
景品払出装置１は、図１に表すように、筐体２上部に景品払出ユニット２が設けられている。この景品払出ユニット２には、特殊景品Ｗを排出するための景品払出口３が、景品払出ユニット２の長手方向に６箇所設けられている。この景品払出口３は、特殊景品Ｗの排出時以外は、景品押出部４の押出面によって閉鎖されている。
【００９８】
景品払出口３から景品押出部４によって特殊景品Ｗが排出される排出天板５には、各景品払出口３に対応して、凹部が設けられ、その凹部に、例えばＬＥＤランプなどで構成される払出口指示点灯部６が配置されている。そして、払出口指示点灯部６を配置した凹部は、排出天板５と凹凸なく平面になるように、例えば透明なアクリル板などで封鎖されている。そして、特殊景品Ｗが排出される景品払出口３に対応した払出口指示点灯部６が点灯し、遊技者に特殊景品Ｗが排出される景品払出口３を示している。
【００９９】
ここで示した景品払出装置１は、６箇所の景品払出口３が設けられているので、最大６箇所から特殊景品Ｗを同時に排出することが可能である。しかしながら、景品払出装置１に設けられる景品払出口３は、６箇所に限られるものではなく、例えば、払い出される特殊景品Ｗの一度に排出する量によって、景品払出口３を増減して形成してもよい。
【０１００】
また、景品払出ユニット２の右上面には、払い出される特殊景品Ｗの数量などを表示するための表示部７が設置されている。この表示部７は、例えば液晶モニタなどで構成される。なお、この実施例では、景品払出ユニット２には、遊技客等へは表示部７によって情報伝達するが、例えば上面両端にスピーカを設ける等して遊技客に対して「いらっしゃいませ」、「景品が出るまでしばらくお待ち下さい」などの音声による情報を発することが可能に形成しても良い。
【０１０１】
図２に示すように、景品払出装置１の背面側には、景品払出ユニット２の上部に、景品払出装置１の背面側に向いて操作表示パネル８を設けてある。この操作表示パネル８には、払い出される特殊景品Ｗの数量等を表示するための、例えば液晶モニタなどで構成される表示部８ａ、操作表示パネル８の左右の端部には、特殊景品Ｗの補充要求や搬送不良などのエラー発生時に点灯するエラー発生時点灯部８ｂを設けてある。
【０１０２】
また、景品払出装置１は、２台の景品管理装置（ＰＯＳ）と通信回線によって接続することができ、操作表示パネル８には、何台の景品管理装置（ＰＯＳ）と接続されているかを示す併設景品管理装置数点灯部８ｃが設けられている。この併設景品管理装置数点灯部８ｃは、例えばＬＥＤランプなどで構成され、景品管理装置（ＰＯＳ）が１台併設されている場合には、併設景品管理装置数点灯部８ｃが１つ点灯し、景品管理装置（ＰＯＳ）が２台併設されている場合には、併設景品管理装置数点灯部８ｃが２つ点灯する。また、併設景品管理装置数点灯部８ｃに近接して、景品払出装置１のレディ状態を示すレディ点灯部８ｄが設けられている。このレディ点灯部８ｄも、例えばＬＥＤランプなどで構成されている。
【０１０３】
また、操作表示パネル８には、リセットボタン８ｇ、モード切替ボタン８ｈが設けられ、さらに開閉可能なパネル８ｅの内部にテンキー８ｆが設けられている。設定モードは、モード切替ボタン８ｈとテンキー８ｆによって設定され、テンキー８ｆでは、例えば取り扱う特殊景品Ｗの数量、各景品カートリッジ９に収納された特殊景品Ｗの数量などの設定を行う。
【０１０４】
また、景品払出装置１の内部には、図３に表すように、景品カートリッジ９を着脱可能に収容し、上部に上部ユニット１０、下部に下部ユニット１１が設けられた景品搬送ユニット１２が、景品払出装置１の横方向に複数積層させて構成されている。この実施例では、６個の景品搬送ユニット１２を併設して形成するが、景品搬送ユニット１２は６個に限られるものではなく、その数量を増減してもよい。なお、上述した特殊景品Ｗが排出される景品払出口３の数が景品搬送ユニット１２の数に対応している。
【０１０５】
また、景品払出装置１には、演算装置（ＣＰＵ）、読み出し専用メモリ（ＲＯＭ）、ランダムアクセスメモリ（ＲＡＭ）などから主に構成される主制御手段１３が設けられている。ＣＰＵでは、ＲＯＭやＲＡＭに格納されたプログラムやデータなどを用いて各種の演算処理を実行する。また、この主制御手段１３では、景品払出装置１を構成する各機器部との信号の出入力などを制御している。
また、各景品搬送ユニット１２は、各景品搬送ユニット１２を制御するための、演算装置（ＣＰＵ）、読み出し専用メモリ（ＲＯＭ）、ランダムアクセスメモリ（ＲＡＭ）などから主に構成される各種制御部１４によって制御される。ここで、主制御手段１３および各種制御手段１４におけるＣＰＵでは、ＲＯＭやＲＡＭに格納されたプログラムやデータなどを用いて各種の演算処理を実行する。また、各種制御手段１４は、主制御手段１３と通信可能に接続されており、例えば、主制御手段１３から入力する払出指示情報などに基づいて、各景品搬送ユニット１２による特殊景品Ｗの払出動作などを制御する。
この各景品搬送ユニット１２を制御するための各種制御手段１４は、主制御手段１３と同様、演算装置（ＣＰＵ）、読み出し専用メモリ（ＲＯＭ）、ランダムアクセスメモリ（ＲＡＭ）などの各手段からなり、対応する景品搬送ユニット１２と電気的に接続されて景品搬送ユニット１２の各種動作を制御可能に設けられる。
【０１０６】
（景品カートリッジ９の構成）
次に、図４〜６を参照して、景品カートリッジ９の構成について説明する。
【０１０７】
図４には、景品カートリッジ９の斜視図が示されており、図４には、カートリッジカバー９４が取り付けられた状態の景品カートリッジ９の斜視図が示されいる。図６には、景品カートリッジ９の一方の側面の一部を示す斜視図が示されている。
景品カートリッジ９は、全体として直方体からなり、複数の一列に並べられた直方体空間からなる各景品収納部９０から構成される。この実施の形態では、景品カートリッジ９は、３個の景品収納部９０から構成されているが、これに限られるものではなく、景品収納部９０の数を増減してもよい。
【０１０８】
景品収納部９０の底面には、中央部および前部の一部が切欠され、ほぼＣ字型に形成された景品ストッパ９１が固着され、景品収納部９０内に積層される特殊景品Ｗを支持する。この景品ストッパ９１の切欠の形状は、景品収納部９０内に収納される特殊景品Ｗを昇降させる支持部材および支持部材を支持しリフト機構によって押し上げられる昇降台が移動可能であり、かつ景品収納部９０内に収納される特殊景品Ｗを支持できるものであれば、Ｃ字型に限られるものではない。
【０１０９】
景品収納部９０の背面および両側面は壁面で形成され、隣接する景品収納部９０の側面は共有している。景品収納部９０の前面および天井面は開口されている。景品収納部９０の側面前部には、板状のガイド９２が景品収納部９０に沿って設けられている。各景品収納部９０には、例えば特殊景品Ｗの厚さが３ｍｍの場合には、１５０個収納することができ、３個の景品収納部９０で合計４５０個の特殊景品Ｗを収納することができる。
【０１１０】
併設する景品収納部９０相互を仕切る側面９０ａは、図６に表すように、上部を切欠して特殊景品Ｗが隣り合う景品収納部９０へと移動可能に切欠開口部９０ｂを備えている。さらにこの切欠開口部９０ｂの側部には、開閉仕切り突部９０ｃを設ける。開閉仕切り突部９０ｃは、Ｌ字状に折曲させた板状体を開閉バネ９０ｄによって垂直方向を回動軸として回動可能に取り付けられる。開閉仕切り突部９０ｃの下部には、開閉仕切り突部９０ｃを開閉可能な開閉バー９０ｅを、開閉仕切り突部９０ｃと係止させてある。この開閉バー９０ｅは、景品カートリッジ９を景品カートリッジ挿入口１２ａから挿入することで景品搬送ユニット１２の内部で押圧されて開閉仕切り突部９０ｃを開状態とさせる。従って、景品カートリッジ９を景品払出装置１へ挿入していないときには、開閉バネ９０ｄの付勢力によって開閉仕切り突部９０ｃを閉状態とさせる。
【０１１１】
また、景品カートリッジ９の一方の外側面には、挿入用把持部９３が配置されている。景品カートリッジ９を景品カートリッジ挿入口１２に挿入する際に、従業員などがこの挿入用把持部９３を握って挿入を行う。
【０１１２】
図４に示すように、景品カートリッジ９の上部には、複数の景品収納部９０の天井面を被覆する大きさで構成されたカートリッジカバー９４を装着することができる。このカートリッジカバー９４は、景品カートリッジ９を持ち運ぶ際に、景品カートリッジ９に装着して使用するもので、例えば従業員などがカートリッジカバー９４に設けられた持運び用把持部９５を握って持ち運ぶ。なお、このカートリッジカバー９４は、景品カートリッジ９を景品カートリッジ挿入口１２に挿入する際には外される。
【０１１３】
また、図７に示すように、景品カートリッジ９の挿入用把持部９３が設置された外側面とは反対側の外側面に、金属板からなるマグネット用プレート９６が配設されている。この実施の形態では、景品カートリッジ９の外側面に、２個のマグネット用プレート９６が所定の位置に配設されているが、これに限るものではない。
【０１１４】
このマグネット用プレート９６は、景品払出装置１の内部にマグネット用プレート９６と対応して配設されたマグネット（図示せず）と磁気的に接続され、このマグネット（図示せず）を設置してあるキャッチ手段（図示せず）に設置されたホール素子を用いて、景品カートリッジ挿入口１２に挿入された景品カートリッジ９が適切なものであるかを判定する。このように磁気的に接続の有無を判断する方法は従来からある方法によって行われているので、キャッチ手段（図示せず）をマグネット（図示せず）がマグネット用プレート９６と対応する位置になるように設置すれば足りる。そして、キャッチ手段（図示せず）に設置されたホール素子（図示せず）を用いて、景品搬送ユニット１２へ挿入された景品カートリッジ９が適切に装着されたか否かを判定し、適切でない場合には、例えば、ブザーなどで知らせることができる。このホール素子は、主制御手段１３に回線を介して接続されている。
【０１１５】
（景品払出装置１の内部の構成）
次に、景品払出装置１の内部の構成について、図８を参照して説明する。
図８は、景品払出装置１の一部の内部構造を表す断面説明図である。図８に表す景品払出装置１は、内部に景品搬送ユニット１２を収納して景品払出作業が行える状態を表している。
【０１１６】
景品払出装置１は、上部ユニット１０、下部ユニット１１、景品カートリッジ挿入口１２ａから構成される景品搬送ユニット１２と、この景品搬送ユニット１２と排出天板５を介して積層配置された景品払出ユニット２とから主に構成されている。
【０１１７】
景品カートリッジ挿入口１２ａの下端位置の両側には、景品カートリッジ挿入口１２ａから奥部まで、カートリッジガイドレール（図示せず）が帯状に設置されている。この時、カートリッジガイドレール（図示せず）に沿って景品搬送ユニット１２を挿入し、最奥部の所定位置で挿入が完了されると、マグネット用プレート９６が、景品払出装置１の内部に設けるキャッチ手段（図示せず）のマグネット（図示せず）が最奥部へ収納されたことを感知可能となっている。景品搬送ユニット１２挿入状態で、景品搬送ユニット１２の挿入側端部と対向位置には、景品搬送ユニット１２から排出される特殊景品Ｗが移動されて載置される複数のスタッカ１５を、特殊景品Ｗが積層されている方向である垂直方向へ所定間隔をもって積層状態に配置してある。
【０１１８】
スタッカ１５は、この実施例では、この実施例では、最下段が特殊景品Ｗを１枚載置可能であり、下から順に２段目が特殊景品Ｗを２枚載置可能であり、同様に３段目が４枚、４段目が８枚、それぞれ特殊景品Ｗを載置可能である。この載置可能枚数がそれぞれのスタッカ１５における最大収納枚数である。
なお、この実施例では、スタッカ１５は４段からなるが、５段以上でもよく、３段未満でもよく、払い出す特殊景品Ｗの実際に払い出す枚数や、最大払出枚数などを考慮して適宜段数とすればよい。
【０１１９】
さらに、この実施例では、複数のスタッカ１５を１枚のものと、２枚、４枚、８枚というように２の乗数倍となるものとによって構成することで、最大収容枚数が最大のスタッカ１５の２倍より１枚少ない枚数までを払い出せるとともに、払出枚数が何枚であってもそれぞれのスタッカ１５の組み合わせによって払出可能としている。
【０１２０】
スタッカ１５は、例えば、５枚、１０枚というような５枚ずつの払出が比較的多い場合などには、スタッカ１５の最下段が特殊景品Ｗを１枚載置可能であり、下から順に２段目が特殊景品Ｗを２枚載置可能であり、同様に３段目が３枚、４段目が５枚、５段目が１０枚というように、比較的払出が多い枚数のスタッカ１５を予め用意しておいたり、最大収容枚数が５枚のスタッカ１５を複数備えるように構成しても良い。また、最大収容枚数が１枚のスタッカ１５を複数用意してもよい。
なお、スタッカ１５は、最大収容枚数が１枚の最下段のものがスタッカ１５ａであり、最大収容枚数が２枚の下から２段目のものがスタッカ１５ｂであり、最大収容枚数が４枚の下から３段目のものがスタッカ１５ｃであり、最大収容枚数が８枚の最上部のものがスタッカ１５ｄである。
このようにスタッカ１５を設けるので、景品収納部９０の切欠開口部９０ｂは、全てのスタッカ１５ａ〜１５ｄへ特殊景品Ｗが移動できるように、特殊景品Ｗが並設されている上下方向の幅が少なくとも最下段のスタッカ１５ａから最上段のスタッカ１５ｄまで開口するように設計されている。
【０１２１】
１６は景品昇降部である。景品昇降部１６は、スタッカ１５の景品搬送ユニット１２と対向側に設置される。景品搬送は、特殊景品Ｗを昇降させる手段であり、上下方向へ昇降可能に形成している。
【０１２２】
さらに景品搬送ユニット１２の下部には、景品搬送ユニット１２の各収納部９０に載置された特殊景品Ｗを常に上方へ付勢可能な付勢支持部１７を備え、付勢支持部１７の下部には、付勢支持部１７へ付勢力を付与可能な付勢部１８を備える。
【０１２３】
また、景品搬送ユニット１２の景品収納部９０上部には、移動手段１９をそれぞれ備える。移動手段１９は、景品収納部９０上部から収納部９０内下方へと入り込み上下方向へ昇降可能である。移動手段１９は、ベルトコンベヤ１９ａをローラ１９ｂ、１９ｃに掛け渡してローラ１９ｂ、１９ｃを回転させることでベルトコンベヤ１９ａを動作可能である。このベルトコンベヤ１９ａは、収納部９０の最上部の特殊景品Ｗに当接した状態で駆動させることで最上部の特殊景品Ｗを順次スタッカ１５側へと移動可能である。
即ち、景品収納部９０は、最もスタッカ１５側に位置する収納部が第１収納部９７を形成し、次いで中央に位置する収納部が第２収納部９８を形成し、スタッカ１５と反対側に位置する収納部が第３収納部９３を形成している。そして、第１収納部９７乃至第３収納部９３それぞれの上部に移動手段１９が設けられ、第１収納部９７上部には第１収納移動手段２１が、第２収納部９８の上部には第２収納移動手段２２が、第３収納部９３上部には第３収納移動手段２３が、それぞれ設けられている。
【０１２４】
第１収納移動手段２１は、第１収納部９７に備える付勢手段１７によって常に上方へ移動されている特殊景品Ｗをスタッカ１５側へと移動させ、スタッカ１５上へ載置させることが可能である。この移動は特殊景品Ｗの載置が無くなったスタッカ１５に対して行われ、対応する各種制御手段１４の指示により行われる。
第２収納移動手段２２は、同様に第２収納部９８の最上部に位置している特殊景品Ｗを第１収納部９７へと移動させることが可能である。この移動は、第１収納部９７に、すべてのスタッカ１５へ載置するだけの特殊景品Ｗが無くなったときに、対応する各種制御手段１４の指示により行われる。
第３収納移動手段２３も第２収納移動手段２２と同様に、第２収納部９８に特殊景品Ｗが無くなったときに対応する各種制御手段１４の指示により行われる。
【０１２５】
第１収納移動手段２１の昇降移動は、図８に表す位置センサｐ〜ｔが移動すべき位置に予め備えられている。この位置センサｐ〜ｔは、各スタッカ１５の載置位置となっており、最下段に表すスタッカ１５では、収納可能枚数が１枚なので、スタッカ１５表面に特殊景品Ｗを移動可能な位置で第１収納移動手段２１が停止可能に設けてある。即ち、位置センサｐ〜ｔは、例えば光センサからなり、位置センサｐ〜ｔが遮られると信号を出力可能である。そして制御手段１４では、最上部の特殊景品Ｗを移動させたい所望の位置センサｐ〜ｔの状態が変わるまで第１収納移動手段２１を移動させ、所望の位置センサｐ〜ｔの状態が変化した時に該移動を終了させることで、第１収納移動手段２１の位置制御を行う。なお、この実施例では、第１収納移動手段２１の移動および第１収納部９７下部に位置している付勢部１８によって特殊景品Ｗの位置を移動させ、且つ、その最上部に第１収納移動手段２１を最上部の特殊景品Ｗ位置へと移動させて特殊景品Ｗ位置をスタッカ１５側へと移動させるが、第１収納部９７の下部に位置する付勢部１８がスタッカ１５内の特殊景品Ｗを上下方に常に付勢し、第１収納移動手段２１はこの付勢力に抗して特殊景品Ｗを押圧移動させるように形成し、各種制御手段１４がこれらを制御するように形成してもよく、最上部の特殊景品Ｗ位置、即ち第１収納移動手段２１の位置を制御可能に形成されていればどのように形成してもよい。
【０１２６】
景品収納部９０は、位置センサｐ〜ｔが景品収納部９０の内部にある最上部の特殊景品Ｗの位置、即ち第１収納移動手段２１が移動させる位置を検知可能に景品搬送ユニット１２の位置センサｐ〜ｔと対向する面に該センサｐ〜ｔが検知可能となるように孔を穿設する等してある。位置センサｐ〜ｔは自身が位置を検知するのではなく、第１収納移動手段２１が検知手段を備えており、該検知手段が位置検知できるように、例えば磁石を設けるとか反射鏡面を設ける等して形成し、第１収納移動手段２１が該位置へ移動した際に検知可能に形成してもよい。
なお、コンベヤベルト１９ａは、主制御手段１３に配線を介して接続された駆動モータ（図示しない）によって回転される。そして、特殊景品Ｗを１枚毎にスタッカ１５ａへ排出する景品押出爪（図示せず）が所定位置に達したことを、ロータリエンコーダ（図示せず）で検知し、スタッカ１５ａへ排出された特殊景品Ｗの枚数を計数する。ここで、ロータリエンコーダ（図示しない）には、コンベヤベルト１９ａの位置を検知可能なようにその回転駆動が所定ギヤ比で伝達されている。このロータリエンコーダ（図示せず）は、主制御手段１３に配線を介して接続されている。
【０１２７】
第２収納移動手段２２および第３収納移動手段２３は、それぞれ隣り合う収納部へ最上部から特殊景品Ｗを移動させるだけなので、スタッカ１５内の特殊景品Ｗが常に最上部へと移動されるように付勢支持部１７および付勢部１８が作用し、第２収納移動手段２２および第３収納移動手段２３も最上部において常に隣り合う収納部へ移動させる。このとき隣り合う第２収納部９２および第３収納部９３では、スタッカの補充を受ける場合に補充される特殊景品Ｗを積層させるために常に最上部へと移動して特殊景品が１枚だけ上部に載置できるように移動するように各種制御手段１４によって制御される。
尚、各移動手段１９がスタッカ１５ａ〜１５ｃ間で景品の移動を行うか否かは、各収納部９７〜９９に備える収納景品検知センサ（図示せず）によって並べて載置された複数の払出景品Ｗが存在しなくなったことを検視して各種制御部１４へ信号出力し、この信号出力を受けて各種制御部１４が当該収納部９０における移動手段１９の動作を制御可能に構成されており、更に第１収納部９７においては、全てのスタッカ１５ａ〜１５ｄへ払出景品を第１収納移動手段が２１移動できない払出景品Ｗの枚数となったときに同様の信号出力がなされ、各種制御部１４が当該景品搬送ユニット１２からの払い出しを行えないように制御し、他の景品搬送ユニット１２からのみ特殊景品Ｗの払い出しを行うようにすると共に当該景品搬送ユニット１２が払い出し不能になったむねをエラー表示させる等おこなう。
【０１２８】
各スタッカ１５の景品収納部９０側には、各スタッカ１５に載置されている特殊景品Ｗを景品昇降部１６へと押圧移動させる第１排出手段２４を備える。
第１排出手段２４は、最下部のスタッカ１５ａに設けるのが第１スタッカ排出手段２４ａであり、スタッカ１５ｂに設けるのが第２スタッカ排出手段２４ｂであり、スタッカ１５ｃに設けるのが第３スタッカ排出手段２４ｃであり、スタッカ１５ｄに設けるのが第４スタッカ排出手段２４ｄである。
【０１２９】
景品昇降部１６は、第２排出手段を形成する。景品昇降部１６は、スタッカ１５ａ〜１５ｄと同じように水平方向の載置面を有する載置部１６ａと、載置部１６ａ下部に垂直に設けられるラック部１６ｂと、ラック部１６ｂと係止してラックアンドピニオン機構によりラック部１６ｂを含む載置部１６ａを上下へ昇降させるピニオン１６ｃとからなる。
載置部１６ａは、各スタッカ１５ａ〜１５ｄの並設方向である上下方向へ、スタッカ１５ａ〜１５ｄに隣接するように移動可能である。
また、載置部１６ａは、特殊景品Ｗが移動されてくる方向の長さが特殊景品Ｗより稍長く、同様に図中奥方向への幅も特殊景品Ｗを再起可能な幅を有している。ピニオン１６ｃは、回転することでラック１６ｂを移動させるようにステッピングモータ（図示せず）によって回転される。そしてこの回転制御は、各種センサからの情報などにより、各種制御部１４によって制御される。
ピニオン１６ｃは、ステッピング駆動モータ（図示せず）の動力を伝達しラック部１６ｂを作動させ、景品昇降部１６の載置部１６ａを昇降可能である。
【０１３０】
景品昇降部１６の位置制御するためのセンサの具体例を示す。各スタッカ１５ａ〜１５ｄには、特殊景品Ｗ排出側端部に昇降手段位置決めセンサ１５ｅを備える。この位置決めセンサ１５ｅは、光センサからなり、景品昇降部１６が該センサ１５ｅにさしかかると、センサ１５ｅは、自身から放射した光が景品昇降部１６の側面に反射されて再び該センサ１５ｅ自身に返るので受信、即ち景品昇降部１６が該センサ１５ｅ位置にいることを検知して各種制御部１４へ出力する。この光センサ１５ｅの出力する検知信号を各種制御部１４が受けて景品昇降部１６の位置を検知可能に形成されており、所望のスタッカ１５ａ〜１５ｄに備える光センサ１５ｅが検知信号を出力するまでピニオンを回転させることで景品昇降部１６の位置を制御可能となる。
【０１３１】
このように第２排出手段である景品昇降部１６が上方へと移動可能に移動スペース２５を上方へ開口する。
移動スペース２５の上部には、景品昇降部１６が特殊景品払い出しのために上方へ移動した際に、景品昇降部１６の載置部１６ａ表面と同一レベルとなる排出通路２６ａを備える押出排出部２６を備える。
押出排出部２６は第３排出手段であり、排出通路２６ａは払出天板５の延長として形成され、該通路２６ａおよび景品払出ユニット２の上板２０とが景品払出口３を形成し、払出景品である特殊景品Ｗを押出排出部２６が該出口３へ押出可能に形成して押出部４としている。
第３排出手段である押出排出部２６は、押出装置２６ｂを備える。この押出装置２６ｂは、排出通路２６ａ上を、景品昇降部１６に載置されて排出通路２６ａに位置された払出景品を押圧して景品払出口３から払い出す。押出装置２６ｂは、押し出した状態で押出装置２６ｂの前面が景品払出口３を閉塞した位置で停止し、閉塞手段をかねる。押出排出部２６は、クランク機構等適宜手段によって、排出通路２６ａ上を進退可能に構成されている。そして、景品払出口３から払出景品である特殊景品Ｗを払い出すときには、景品払出口３を閉塞した位置から図８に表す位置まで移動して景品昇降部１６が上昇してくるのを待ち受け、上昇し排出可能な位置へと到達したことを受けて押出装置２６ｂが押し出すように各種制御部１４によって制御される。
【０１３２】
尚、この実施例では、図８に表すように、景品昇降部１６の図中左右両側に景品収納部９０を備えるが、これは、払出景品である特殊景品Ｗの補充を行う機会を少なくするように景品払出装置１の正面側および背面側両側から景品収納部９０を補充可能に形成した場合の例を挙げており、図３に表す商品搬送ユニット１２を正面側および背面側両側に備えることで実現できる。
【０１３３】
（景品払出装置１の動作説明）
以下に、景品払出装置１の動作を図面に基づき説明する。
まず、景品搬送ユニット１２に装着された収納部９０からスタッカ１５への特殊景品Ｗの移動動作を説明する。尚、払い出される特殊景品Ｗの数量は５枚を例に説明する。
主制御手段１３が他の装置等から払い出すべき特殊景品の枚数を指示する指示信号を入力する。すると、主制御手段１３では、各種制御部１４から予め集められた情報から排出可能な景品搬送ユニット１２を選択する。この選択は、景品の払い出しが可能ではなくなった景品搬送ユニット１２を除き常に一方側から景品搬送ユニット１２を選択する等、プログラムされた適宜方法によって行えばよい。
主制御手段１３は払い出すべき特殊景品Ｗの枚数を、選択した景品搬送ユニット１２に対応して備える各種制御部１４へと送信する。すると各種制御部１４では、対応する景品搬送ユニット１２のスタッカ１５から、所望数となるものを選択し、選択したスタッカ１５に備える第１排出手段２４によって当該スタッカ１５から景品昇降部１６へと特殊景品Ｗを移動させる。そして第１排出手段２４は、スタッカ１５への移動を終了すると元の位置へ戻り、次の排出動作に備える。尚、この戻り動作の時には、第１排出手段２４は開閉動作をさせたり、払い出し方向への回動のみを可能に観音扉状に構成させ、元の位置へ戻れるようにすると共に元の位置で次の特殊景品Ｗのスタッカ１５への補充を可能とさせている。
即ち、この例では払い出す特集景品の枚数が５枚なので、第１スタッカ１５ａの最大収容枚数１枚と第３スタッカ１５ｃの最大収容枚数４枚とを足すことで５枚となるので、各種制御部１４によって第１スタッカ１５ａおよび第３スタッカ１５ｃが選択されて第１スタッカ移動手段２４ａおよび第３スタッカ移動手段２４ｃが動作制御される。これと共に景品昇降部１６が第１スタッカ１５ａからの特殊景品Ｗを受け入れられるように、景品昇降部１６を制御する。
【０１３４】
即ち、この状態が図８に表すように、景品昇降部１６は、第１スタッカ１５ａに設ける光センサ１５ｅが景品昇降部１６を検知するまで、景品昇降部１６に備えるステッピングモータを作動させ移動させる。そして、景品昇降部１６の載置部１６ａが第１スタッカ１５ａに位置したことを受けて、該ステッピングモータの動作を停止し載置部１６ａへの特殊景品Ｗの受け入れ待機状態をとらせる。
次いで各種制御部１４は、第１スタッカ１５ａに備える第１スタッカ移動手段２４ａを動作させ、第１スタッカ１５ａに収容載置されている１枚の特殊景品Ｗを載置部１６ａへと移動させ、第１スタッカ移動手段２４ａを戻して第１スタッカ１５ａが再び特殊景品Ｗの収容載置可能状態をとらせる。
【０１３５】
次いで、図９に表すように、各種制御部１４は、景品昇降部１６が第３スタッカ１５ｃから特殊景品Ｗを受領可能とさせるべく前記同様に景品昇降部１６を駆動させて第３スタッカ１５ｃに設ける光センサ１５ｅが景品昇降部１６を検知するまで移動させる。
第３スタッカ１５ｃに設ける光センサ１５ｅが景品昇降部１６を検知した信号を受けて各種制御部１４は、景品昇降部１６の駆動を停止し、景品昇降部１６に第３スタッカ１５ｃからの特殊景品Ｗの受け入れ可能状態をとらせる。この第３スタッカ１５ｃに設けた光センサ１５ｅが検知した位置は、時景品昇降部１６の載置部１６ａに特殊景品Ｗが一枚載置されているので、該特殊景品Ｗの上部が受け入れ可能位置となるように停止されている。
【０１３６】
次いで各種制御部１４では、前記同様に第３スタッカ移動手段２４ｃを動作させる。
すると第３スタッカ移動手段２４ｃは、第３スタッカ１５ｃに載置収容されている特殊景品Ｗを景品昇降部１６側へと移動させ、移動終了後再び第３スタッカ１５ｃに特殊景品Ｗを収容可能な位置へと戻る。この時第３スタッカ１５ｃから移動される特殊景品Ｗの枚数は４枚なので、景品昇降部１６の載置部１６ａには合計で５枚の特殊景品Ｗが載置されている。
各種制御部１４は特殊景品Ｗのスタッカ１５ｃからの移動を終了したので、次いで、景品昇降部１６を押出排出部２６へと移動するように制御信号を景品昇降部１６へと信号出力する。すると、景品昇降部１６では、ステッピングモータ（図示せず）が該信号に基づき動作されて載置部１６ａを上方へと移動させ、押出通路２６ａと載置部１６ａとが同じレベルに到達したところでステッピングモータ（図示せず）の動作を停止させる。この載置部１６ａの到達位置は、光センサ（図示せず）によって検出するとか、押出通路２６ａ下部に載置部１６ａの位置を検知可能なリミットスイッチ（図示せず）を設ける等適宜位置検知手段を持って行われ、該位置検知手段は各種制御部１４へと信号出力可能に形成されていればよく、従来から行われている位置検知手段と同様である。
【０１３７】
各種制御部１４は、載置部１６ａが押出通路２６ａに位置されるのに先立ち、景品払出口３を閉塞している押出装置２６ｂを後退動作させ、景品払出口３を開口させるとと共に押出通路２６ａに到達する特殊景品Ｗを押出可能な位置、即ち払い出す特殊景品Ｗの景品払出口３と反対側へと移動させておく。
【０１３８】
各種制御部１４は、押出装置２６ｂの移動が終了し、載置部１６ａの移動が終了したのを受けて、押出装置２６ｂを景品押出動作させる。即ち、後退していた押出装置２６ｂを再び景品払出口３側へと移動させる。すると押出装置２６ｂはやがて排出通路２６ａに位置している５枚の特殊景品Ｗを押出動作し、景品払出口３から外部へと排出させ。図１０に表す状態とする。
【０１３９】
これに先立ち各種制御部１４では、特殊景品Ｗを排出する景品搬送ユニット１２がある払出口指示点灯部６を点灯や点滅させる。
【０１４０】
（スタッカへの特殊景品Ｗの移動載置動作）
各種制御部１４は、前記第１スタッカ１５ａおよび第３スタッカ１５ｃから第１スタッカ移動手段２４ａおよび第３スタッカ移動手段２４ｃを昇降部１６へ移動させた後に、昇降部１６の動作と並行して、第１スタッカ１５ａおよび第３スタッカ１５ｃへの特殊景品Ｗの補充を行う。
【０１４１】
各種制御部１４では、特殊景品Ｗが排出されてなくなったスタッカ１５に対して特殊景品Ｗの補充を行う。即ち、図１３に表すように、第１収納移動手段２４ａが景品収納部９０の第１収納部９７から特殊景品Ｗがなくなった最寄りのスタッカ１５である第３スタッカ１５ｃへ特殊景品Ｗを移動させるべく、第１収納部９７の最上部特殊景品Ｗを第３スタッカ１５ｃ位置へと移動させる。次いであるいは同時に、第１移動手段２１を第１収納部９７最上部特殊景品Ｗ移動可能位置へと移動させる。尚、この場合には、第１移動手段２１は既に位置センサｒの位置にあるので、第１移動手段２１は移動されない。
第１移動手段２１および第１収納部９７位置の移動は、第１収納部９７内の位置を検知する位置センサｒに第１収納部９７の最上部特殊景品Ｗが位置するように移動させる。そして、該位置の最上部の特殊景品Ｗを移動可能に第１移動手段２１を移動させるように各種制御部１４が制御する。
次いで、各種制御部１４は第１移動手段２１に対し、第３スタッカ１５ｃへの特殊景品Ｗ移動の移動が可能な位置へと移動した第１収納部９７最上部特殊景品Ｗを第３スタッカ１５ｃへ移動させるように信号出力し、第１移動手段２１が第３スタッカ１５ｃへ特殊景品Ｗを移動させる。この時移動させる特殊景品Ｗの枚数は、第３スタッカ１５ｃが収容可能な最大収容枚数である４枚を移動させるように各種制御部１４が指示制御する。
【０１４２】
第３スタ  カ１５ｃへの特殊景品Ｗの移動を終了すると、次いで図１４に表すように、次の最寄りの空きスタッカ１５である第１スタッカ１５ａへと、前記同様に第１収納部９７を移動させ、次いであるいは同時に第１移動手段２１を第１移動手段２１の最上部特殊景品Ｗを移動可能な位置へと移動させる。そして、該位置で第１スタッカ１５ａの最大収容枚数である１枚の特殊景品Ｗを移動させる。この時の移動位置は、位置センサｐが第１収納部９７の最上部特殊景品Ｗ位置を検知した信号を各種制御部１４が入力することで行う。
【０１４３】
このように一度空となった第１スタッカ１５ａおよび第３スタッカ１５ｃに再び特殊景品Ｗを収納載置する。
再び全てのスタッカ１５に所定数の特殊景品Ｗが収納されたので、該景品搬送ユニット１２は再び払出可能となり、次に特殊景品Ｗの払出希望があったときに払出可能な景品搬送ユニット１２となる。
【０１４４】
（各収納部間での特殊景品Ｗの充填移動動作）
一方、第１収納部９７は、特殊景品Ｗをスタッカ１３へと移動してしまったために収納されている枚数が少なくなっているので、隣り合う第２収納部９８から特殊景品Ｗの充填を行うために、各種制御部１４では第１収納部９７第１移動手段２１を最上部へと移動させる。この時の移動位置は、前記同様位置センサｔによって行われる。
各種制御部１４は、第１移動手段２１を位置センサｔである最上部へと移動させた後、第１収納部９７を、位置センサｓの位置へと移動させる。この移動位置（位置センサｓ位置）は、第１収納部９７の最上部の特殊景品Ｗが第１移動手段２１と接触せずに、且つ、第２収納部９８から第１収納部９７へ移動可能な位置である。
【０１４５】
次いで各種制御部１４は、第１収納部９７が該位置へ移動したことを検知すると、第２移動手段２２を作動させ、第２収納部９８から第１収納部９７へ特殊景品Ｗを移動させる。この時第２収納部９８では、特殊景品Ｗが１枚移動されるごとに、第２収納部９８の下部に位置する付勢支持部１７および付勢部１８によって第２収納部９８を常に上部に備える第２移動手段２２による特殊景品Ｗ移動可能位置へ移動させる。この時第２収納部９８から第１収納部９７へ移動させる特殊景品Ｗの枚数は、各種制御部１４が前記移動した枚数である。従って、各種制御部１４では、主制御手段１３から受領した払い出すべき枚数をＲＡＭ等の記憶手段に一時的に記憶してある。
そして第２収納部９８から第１収納部９７への特殊景品Ｗの移動が終了すると、各種制御部１４は、図１７に表すように、第１収納部９７を該収納スペースの最上部に、最上部の特殊景品Ｗが位置するように第１収納部９７下部に備える付勢支持部１７および付勢部１８を制御して移動させる。
この作業により、第２収納部９８では収納されている特殊景品Ｗの枚数が移動した分だけ減少している。
【０１４６】
そこで各種制御部１４では、次いで第３収納部９９へ収納されている特殊景品Ｗを第２収納部９８へと移動させる作業を行わせるべく制御する。
即ち、まず第２収納部９８の下部に位置されている付勢支持部１７および付勢部１８を作動させて所定量下方へと移動させる。この時の移動量は、少なくとも特殊景品Ｗ一枚分以上移動させる。そして各種制御部１４では、該移動が終了したのを受けて第３収納部９９上部にある特殊景品Ｗを、第３移動手段２３によって１枚ずつ順に第２収納部９８へと移動していく。この移動は、先に説明した第２収納部９８から第１収納部９７へ移動と同様に行われる。
従って、第３移動手段２３による第３収納部９９から第２収納部９８への移動により、第２収納部９８に収納される特殊景品Ｗは満杯の状態となる。
そして、上記のように、景品収納部９０内における各収納部９７〜９９間の移動が終了すると、各種制御部１４では、次に主制御手段１３が特殊景品Ｗの払出要求の信号を受領し、自身に対する主制御手段１３からの払出要求があるまでの間、景品搬送ユニット１２を待機状態とさせる。
【０１４７】
上記のように、各種制御部１４が第２収納部９８から第１収納部９７へ特殊景品Ｗを移動させて第１収納部９７を所定の満杯となるまで収容し、次いで特殊景品Ｗの減少した第２収納部９８へ第３収納部９９から特殊景品Ｗを移動させることで常に第１収納部９７が満杯となるようにして、払い出した特殊景品Ｗの減少をスタッカ１５とは遠い位置にある順に減少させるので、景品収納部９０に収納されている特殊景品Ｗを効率よく払い出していくことが可能である。
【０１４８】
尚、上記説明では特殊景品Ｗの払出枚数が５枚の場合を説明したが、同様の方法によって最小枚数が、第１スタッカ１５ａに収容される１枚から、最大枚数が全スタッカ１５ａ〜１５ｄ全てを合わせた１５枚までを一度に払出可能である。
また、この実施例では、一つの景品搬送ユニット１２からの特殊景品Ｗの払い出し方を説明したが、１５枚を超える払出枚数であれば、他の景品搬送ユニット１２と共に同様の払出操作を行い、例えば払出枚数が２１枚であれば、一つの景品搬送ユニット１２からは最大払出可能枚数である１５枚を払い出すように全てのスタッカ１５から１５枚を景品昇降部１６へ載置させ、他の一つの景品搬送ユニット１２からは残りの６枚を払い出すように、第２スタッカ１５ｂおよび第３スタッカ１５ｃから景品昇降部１６へ載置させ、この両景品搬送ユニット１２の景品昇降部１６および押出排出装置２６を作動させて同時にあるいは順次景品払出口３か払い出すようにすることで、全ての景品搬送ユニット１２から一斉に最大枚数を払い出すことが可能である。
【０１４９】
更にまた、この実施例では景品搬送ユニット１２を複数設けたが、例えば、省スペース下のため複数の景品搬送ユニット１２によって景品払出装置１を構成できない場合などには、例えば、前記の通り払出枚数が２１枚の時には、まず１度に最大払出枚数である１５枚を払い出し、次いで、残りの６枚を同じ景品搬送ユニット１２の第２スタッカ１５ｂおよび第３スタッカ１５ｃからの排出により払い出すことも可能であり、各種制御部１４が、払い出すべきスタッカ１５を選択して複数回にわたり払い出すように構成してもよい。この場合には、景品払出装置１を小型にして提供することが可能となる。
【０１５０】
更に、この発明では、景品払出口３は、払い出しが行われないときには、押出排出部２６の押出装置２６ｂによって閉塞した状態を保つようにしたが、図２０に表すように景品払出口３にシャッター装置２７を設け、景品払出時にシャッター装置２７を開動作させて開状態とし景品を払い出させ、払い出し終了後にシャッター装置２７を閉動作させて閉状態とするように各種制御部１４が制御しするように形成してもよい。このようにシャッター装置２７を設けることで、顧客等による装置へのいたずらや不正を防止することが可能であると共に景品払出口３からの異物や埃・塵などの侵入を防止できる。尚、シャッター装置２７は従来から行われているものと同様に構成することが可能であり、例えば蛇腹状のものを巻き上げる等して開口可能にしたり、複数の板状体により構成して開口時には各板状体を上方あるいは下方へと移動させて開口させる等種々の方法が考えれられ、勿論、上記実施例のように押出排出部２６によって閉塞するのもその一つの方法である。
【０１５１】
次いで他の実施の形態を説明する。図１９には、排出手段である第１排出手段２４の他の実施の形態を説明する。尚、この実施の形態では、第１排出手段２４以外の構成は前記実施の形態と同様である。以下第２の実施例として説明する。
第１排出手段２４は、前記実施例では、自身に駆動部（図示せず）を有しており動作するように形成したが、この実施例では、第１排出手段２４の第１スタッカ排出手段２４ａ乃至第４スタッカ排出手段２４ｄそれぞれが、景品昇降部１６側へ移動可能な付勢力を備え、該付勢力を発揮しないように阻止ソレノイド装置２８を備える。阻止ソレノイド装置２８は、各種制御部１４による制御により選択的にあるいは一斉に作動される。阻止ソレノイド装置２８は、ソレノイド本体（図示せず）とソレノイド本体（図示せず）により動作される進退可能な付勢力阻止突起（図示せず）により構成され、通常時には該阻止突起（図示せず）が第１排出手段２４の付勢力を阻止可能な位置に突出して第１排出手段２４を動作させない。そして、対応設置されているスタッカ１５ａ〜１５ｄから特殊景品Ｗを、第１排出手段２４の付勢力により排出させるよう、各種制御部１４により制御されるとソレノイド本体（図示せず）が動作し付勢力阻止突起（図示せず）の突出を解除し、第１排出手段２４に付勢力を発揮させてスタッカ１５に載置されている特殊景品Ｗを移動させる。また、第１排出手段２４を元に戻す際には、付勢力阻止突起（図示せず）を突出させるようにソレノイド本体（図示せず）を動作させることで、第１排出手段２４をソレノイド本体（図示せず）の動作力により元の位置へ戻すような機構（図示せず）を備えており、第１排出手段２４を元の状態へと戻すことが可能である。
この阻止ソレノイド装置２８は、従来同様の装置により構成することで行えばよい。
【０１５２】
更に図２０に第３の実施の形態を表す。
第３の実施形態では、移動手段およびスタッカ１５から特殊景品Ｗを排出させる第１排出手段を上記実施形態と異なる実施形態で構成した実施形態である。尚、説明を簡略化するため、景品収納部９０は第１収納部９７および第２収納部９８のみから形成したものとして説明するが、第３収納部９９あるいはそれ以上に収納部が存在しても、同じように動作させることが可能である。
【０１５３】
２９は、移動手段である纏め移動装置を構成する。纏め移動装置２９は、全スタッカ１５に移動させるべき第１収納部９７にある特殊景品Ｗを、スタッカ１５が隣り合う第１収納部９７の面と交差している一対の対向面に、前記移動させるべき全特殊景品Ｗを一斉に狭持可能に対向して設けてなる。従って、図２０では、図中手前側にある狭持部のみが表されているが、図中奥側にも、同狭持部があり、両狭持部が図中前後方向へ特殊景品Ｗを狭持可能に形成される。この狭持は、図示しないソレノイド装置やばね力等を発揮して狭持可能であると共に狭持解除を行えるように構成されている。
また、第１纏め移動装置２９ａでは、既に特殊景品Ｗが載置された状態のスタッカ１５にと、排出されて特殊景品Ｗが存在しないスタッカ１５がある場合には、特殊景品Ｗが存在しないスタッカ１５に対応して第１収納部９７にある特殊景品Ｗのみを選択的に狭持可能である。このように構成する第１纏め移動装置２９ａでは、スタッカ１５から特殊景品Ｗが払い出された後に、各種制御部１４の指示によって動作し、特殊景品Ｗが存在しないスタッカ１５にのみ特殊景品Ｗを移動させることが可能である。
そして第１纏め移動装置２９ａは特殊景品Ｗを移動させた後狭持を解除するように制御され、そのように動作する。
すると、第１纏め移動装置２９ａによって移動されなかった特殊景品Ｗは、下方へ自由落下して第１収納部９７に積層されることとなる。
尚、この狭持の解除は、例えば上方から順次行うことで、自由落下する特殊景品Ｗが斜めに載置される等のエラーを起こすことを回避可能である。
【０１５４】
このように、自由落下したことで、第１収納部９７には、先に排出した枚数のみを上部へ補充すればよい状態となっている。この状態で、第２纏め移動装置２９ｂでは、スタッカ１５に対応する全枚数の特殊景品Ｗのうち補充対象枚数部分のみを狭持して第１収納部９７側へと移動させる。これにより第１収納部９７は特殊景品Ｗが再び満杯状態となる。
【０１５５】
次いで第２纏め移動装置２９ｂが元の位置へと戻り、一連の特殊景品Ｗの移動を終了し、スタッカ１５は再び払い出し待機状態となる。
尚、この実施形態では、纏め移動装置２９は、纏めて移動させるべき特殊景品Ｗを選択的に狭持するように形成したが、例えば、スタッカ１５の景品昇降部１６側に、スタッカ１５に載置されている特殊景品Ｗの排出を阻止するスタッカ排出阻害装置３０（図２２に現れる）を備えたり、あるいは図８に表す第１排出手段２４が、払い出していないスタッカ１５への第１収納部９７からの特殊景品Ｗ移動を阻害するように第１収納部９７側を開閉可能に構成するので、第１纏め移動装置２９ａが全スタッカ１５に対応する全特殊景品Ｗを纏めて狭持し、移動させるようにしてもよく、この場合には、スタッカ排出阻害装置３０や第１排出手段２４の阻害力により、第１収納部９７からの特殊景品Ｗの移動力が阻害されて移動不要なスタッカ１５への特殊景品Ｗの移動をさせないですむように形成されている。
【０１５６】
また、この実施形態では、スタッカ１５に載置された特殊景品Ｗを景品昇降部１６側へ傾斜させることで排出する傾斜排出装置３１によって排出手段を形成する。この傾斜排出装置３１は、スタッカ１５の特殊景品Ｗを保持する保持部の一部、即ち景品昇降部１６側を形成しており、図２０中手前から奥方向側へ回動軸が形成されており、図示するように全体が傾斜可能である。この傾斜は特殊景品Ｗが落下可能な角度に傾斜可能であればよく、スタッカ１５と共に形成する特殊景品Ｗの保持部となる保持面に摩擦を減少させるようなローラ形状にするなどすることで傾斜角度を小さくでき、動作範囲を小さくすることが可能である。
更に、傾斜排出装置３１の傾斜は、傾斜排出装置３１自身がステッピングモータ等の動作手段を回動軸（図示せず）に備えて回動可能に構成してもよく、また、図２０中に図示する傾斜ソレノイド３２を備えて構成してもよく、これらの傾斜手段は全て各種制御部１４によって制御されればよい。
勿論、傾斜排出装置３１の傾斜は、各スタッカ１５ａ〜１５ｄをから選択的に行われ、所望数の特殊景品Ｗの払い出しが行われるように制御される。
【０１５７】
尚、傾斜排出装置３１による特殊景品Ｗの排出では、特殊景品Ｗが落下することとなるので、景品昇降部１６の斜め方向となる側面には、落下してくる特殊景品Ｗが景品昇降部１６の載置部１６ａからはみ出さないように位置決め壁部３３を備えており、上方側は、対向設置されるスタッカ１５により位置決め壁部３３同様の作用をさせ、スタッカ１５を対向設置しない場合には位置決め壁部３３を更に上方まで延設する。
【０１５８】
更に図２１では、第４実施形態を説明する。
第４実施形態は、第３実施形態までの景品収納部９０が垂直方向に特殊景品Ｗを積層していたのに対し、これとは異なり特殊景品Ｗを水平方向に並設して収納してある。また、第１収納部９７乃至第３収納部９９が水平方向に並べて設置されていたのに対し、第４実施形態では垂直方向へ並べて設置される例である。
【０１５９】
即ち、水平収納部３４は、カード状の特殊景品Ｗを立てた状態で複数水平方向へ収納可能であり、水平収納部３４は、第１水平収納部３４ａを最下部にして上方へ積み上げるように第２水平収納部３４ｂ、第３水平収納部３４ｃを設ける。水平収納部３４は、一方の端部に付勢支持部１７および付勢部１８を備える。付勢支持部１７および付勢部１８は、図２１中、水平収納部３４の左側端部に備え、図２１中右側端部側へと、並設された複数の特殊景品Ｗを付勢するように設けられている。勿論、付勢部１８は、先の実施の形態同様に、各種制御部１４によって所定位置となれるように制御されている。
【０１６０】
また、水平収納部３４の付勢部１８を設けていない側の端部下部には、水平スタッカ３５を備える。水平スタッカ３５は、第１の実施形態における第１スタッカ１５ａ乃至第４スタッカ１５ｄを９０度回転させ水平方向へ並設させた第１水平スタッカ３５ａ乃至第４水平スタッカ３５ｄからなる。これら第１水平スタッカ３５ａ乃至第４水平スタッカ３５ｄは、第１の実施形態同様、それぞれ最大収容枚数が１枚、２枚、４枚、８枚となっている。勿論第１実施形態のように、他の枚数からなるように形成してもよい。
また、水平収納部３４の付勢部１８とは反対の端部は、第１水平収納部３４ａから水平スタッカ３５へ特殊景品Ｗが落下挿通可能な開口が形成され、更に第２水平収納部３４ｂの第１水平収納部３４ａ側にも同様に各水平スタッカ３５への特殊景品Ｗの供給枚数と同じ供給枚数を落下挿通可能な開口が形成されており、同様に第３水平収納部３４ｃの第２水平収納部３４ｂ側にも各水平スタッカ３５への特殊景品Ｗの供給枚数と同じ供給枚数を落下挿通可能な開口が形成されている。尚、図２１では、該開口を詳細に記載すると図がわかりにくくなるので、各開口の記載は省略する。
【０１６１】
そして、各水平スタッカ３５には、各水平スタッカ３５に垂直方向に立てた状態の特殊景品Ｗが水平方向へ並設された特殊景品Ｗが落下するのを防止可能であり、且つ、各種制御部１４の制御によって落下するように動作可能な落下排出手段３６を備える。落下排出手段３６も先の景品排出手段同様に、各水平スタッカ３５ａ〜３５ｄにそれぞれ第１落下排出手段３６ａ乃至第４落下排出手段３６ｄとして設けてある。
従って、それぞれの落下排出手段３６ａ〜３６ｄを、各種制御部１４が選択的に動作可能に構成してある。これら落下排出手段３６は、図２１中手前側と奥側とで一組として形成され、水平スタッカ３５ａ〜３５ｄの開口された下面両端を、特殊景品Ｗが落下できるように開口させるか特殊景品Ｗの下面側端部を支持して落下を阻止するかの位置をとることが可能であり、各種制御部１４によってそれぞれが位置制御される。
そして各第１落下排出手段３６ａ〜３６ｄは、各種制御部１４によって個別に開閉動作制御がなされ、特殊景品Ｗを選択的に下方へ落下排出できる。
【０１６２】
また、水平スタッカ３５ａ〜３５ｄの第１水平収納部３４ａ側も開口されており、第１水平収納部３４ａと各水平スタッカ３５との間にも、落下排出手段３６と同様に第１水平収納部３４ａから各水平スタッカ３５側へ第１水平収納部３４ａ内に収納してある特殊景品Ｗを落下させるかあるいは落下を阻止するかの動作が可能な第１落下移動手段３７を備える。この第１落下移動手段３７も、各水平スタッカ３５に対応して４カ所に設置される。従って、第１落下移動手段３７もまた、第１落下排出手段３６同様に各種制御部１４によって選択的に開閉制御がなされ、詳細には、水平スタッカ３５のうち空の水平スタッカ３５に対応する第１落下移動手段３７が選択されて開状態とされるので、空となった水平スタッカ３５にのみ特殊景品Ｗを補充可能である。
【０１６３】
従って、第１落下移動手段３７は、第１落下排出手段３６ａ〜３６ｄと同様に第１落下移動手段３７である第１スタッカ対応第１落下移動手段３７ａ乃至第４スタッカ対応第１落下移動手段３７ｄを備える。この第１落下移動手段３７は、全ての第１落下移動手段３７を開状態としたときには、第１水平収納部３４ａ内から全ての水平スタッカ３５へ特殊景品Ｗを供給できる。そして第１落下移動手段３７ａ〜３７ｄは、個別に各種制御部１４によって開閉動作制御がなされ、所望の水平スタッカ３５ａ〜３５ｄへのみ特殊景品Ｗを落下移動可能である。従って、第１落下排出手段３６によって特殊景品Ｗが排出された水平スタッカ３５へのみ選択的に特殊景品Ｗを落下排出可能である。
【０１６４】
同様に第２水平収納部３４ｂと第１水平収納部３４ａとの間にも第２水平移動手段３８を備える。第２落下移動手段３８も第１落下移動手段３７同様、第１スタッカ対応第２落下移動手段３８ａ乃至対４スタッカ対応第２落下移動手段３８ｄを備える。第２落下移動手段３８も同様に各種制御部１４によって開閉制御される。
【０１６５】
同様に第３水平収納部３４ｃと第２水平収納部３４ｂとの間にも第３２水平移動手段３９を備える。第３落下移動手段３９も第１落下移動手段３７同様、第１スタッカ対応第３落下移動手段３９ａ乃至対４スタッカ対応第３落下移動手段３９ｄを備える。第３落下移動手段３９も同様に各種制御部１４によって開閉制御される。
【０１６６】
更に、各水平スタッカ３５の下部には、全ての水平スタッカ３５から落下された特殊景品Ｗを収納可能な引出部４０を備える引出部４０は、水平方向へ移動可能に図２１中左側外側に引出移動手段４１を備え、各種制御部１４によって移動制御可能である。即ち、各種制御部１４は、各水平スタッカ３５から所望数の特殊景品Ｗを落下させた後この引出移動手段４１を動作させて払出口（図示せず）側へと引出部４０を移動させ、顧客に特殊景品Ｗを払い出すことが可能である。尚、引出部４０はこの実施例では直接顧客へ特殊景品Ｗを排出するように構成したが、例えばこの引出を更に他の引出状移動手段などへ入れて、複数ある景品搬送ユニット１２毎に纏めて排出する等してもよい。また、引出部４０の払出先端側内部の形状を湾曲部４０ａのように湾曲させることで、払い出された特殊景品の受け取りが容易な形状にすると顧客が受け取り容易になる。
【０１６７】
第４実施形態では、第１実施形態の例と同様に５枚の特殊景品Ｗを払い出し要求された場合には、各種制御部１４が該枚数から払い出すべき水平スタッカ３５を第１水平スタッカ３５ａおよび第３水平スタッカ３５ｃと選択し、該スタッカ３５ａおよび３５ｃから払い出すよう、第１落下排出手段３６ａおよび第３落下排出手段３６ｃを開閉動作させて、特殊景品Ｗを落下させる。そして落下終了後再び回動させて落下阻害位置へと戻す。
この時の落下排出手段３６の開閉は、ソレノイド装置などの動力により水平方向へスライドさせて行ってもよく、また、水平方向を軸に回転させて水平スタッカ３５の下方を解放させるように形成するなどして行えばよく、種々の方法が考えられ適宜選択すれば足りる。
【０１６８】
第１落下排出手段３６ａによって排出された第１水平スタッカ３５ａおよび第３水平スタッカ３５ｃはからの状態となっている。そこで各種制御部１４は次の払い出し動作に備え、これら水平スタッカ３５ａ、３５ｃへ特殊景品Ｗを充填させるために、第１落下移動手段３７のうち水平スタッカ３５ａ、３５ｃに対応する第１スタッカ対応第１落下移動手段３７ａおよび第３スタッカ対応第１落下移動手段３７ｃを回動させる。すると、第１スタッカ対応第１落下移動手段３７ａおよび第３スタッカ対応第１落下移動手段３７ｃは第１水平収納部３４ａから第１スタッカ対応第１落下移動手段３７ａおよび第３スタッカ対応第１落下移動手段３７ｃにある特殊景品Ｗを第１水平スタッカ３５ａおよび第３水平スタッカ３５ｃへと落下移動させる。そして、落下移動させた後第１スタッカ対応第１落下移動手段３７ａおよび第３スタッカ対応第１落下移動手段３７ｃを再び落下阻害位置へと回動させて戻す。
【０１６９】
更にこの移動により第１水平収納部３４ａの第１水平スタッカ３５ａおよび第３水平スタッカ３５ｃ位置が空の状態となったので、第１水平収納部３４ａへ第２水平収納部３４ｂから特殊景品Ｗを補充させるために、各種制御部１４は第２水平移動手段３８のうち空となった第１水平収納部３４ａの第１スタッカ対応第１落下移動手段３７ａおよび第３スタッカ対応第１落下移動手段３７ｃに対応する第１スタッカ対応第２落下移動手段３８ａおよび第３スタッカ対応第２落下移動手段３８ｃを開状態となるように回動どうさせる。すると第２水平収納部３４ｂの該位置にあった特殊景品Ｗは開口から第１水平収納部３４ａへと落下移動し、第１水平収納部３４ａに補充される。この補充と共に第２水平収納部３４ｂでは該位置に特殊景品Ｗが空となる。
【０１７０】
次いで、前記同様からとなった第２水平収納部３４ｂへ第３水平収納部３４ｃから特殊景品Ｗを補充させるために、各種制御部１４は第３水平移動手段３９のうち空となった第２水平収納部３５ａの第１スタッカ対応第２落下移動手段３８ａおよび第３スタッカ対応第２落下移動手段３８ｃに対応する第１スタッカ対応第３落下移動手段３９ａおよび第３スタッカ対応第３落下移動手段３９ｃを開状態となるように回動どうさせる。すると第３水平収納部３５ｂの該位置にあった特殊景品Ｗは開口から第２水平収納部３５ａへと落下移動し、第２水平収納部３５ａに補充される。この補充と共に第３水平収納部３５ｂでは該位置に特殊景品Ｗが空となる。
【０１７１】
そこで、第３水平収納部３４ｃからの補充を完了したことを受けて、各種制御部１４は、第３水平収納部３４ｃに備える付勢部１８を動作させて並設されている特殊景品Ｗを第３水平移動手段３９側へと押圧して第３落下移動手段３９側へと詰めて移動させ動作を終了させる。この動作により、第１水平収納部３４ａ乃至第３水平収納部３４ｃは間があくことなく特殊景品Ｗが詰めて充填されている状態となる。
また、第３水平収納部３４ｃに特殊景品Ｗがなくなるかあるいは第１スタッカ対応第３落下移動手段３９ｄ位置全てに特殊景品Ｗが位置できなくなった場合には、第３水平収納部３４ｃからの特殊景品Ｗの補充は以後行われないように各種制御部１４が制御する。尚、特殊景品Ｗが存在しなに状態は、所定位置に設置して残りの特殊景品Ｗ位置を検知する光センサ（図示せず）によって検知するとか、各種制御部１４が第３水平収納部３４ｃから払い出した総数を計数して同状態を検知する等して行う。
【０１７２】
また、そして第１落下移動手段３７および第２落下移動手段３８並びに第３落下移動手段３９は、落下排出手段３６と同様に開閉制御可能に形成されれば足りる。
【０１７３】
尚、第４実施形態では、第１水平収納部３４ａ乃至第３水平収納部３４ｃからの落下は、それぞれ第１落下移動手段３７乃至第３落下移動手段３９の開閉によって行ったが、例えば、第１水平収納部３４ａの外形形状を積層する特殊景品Ｗ方向に中心軸を持つ円筒形状に形成し、該円筒形状内に特殊景品Ｗを並設して収納可能な四角柱状の収納部を形成して構成し、付勢部１８を設けない側に特殊景品Ｗの排出口を水平スタッカ３５側に設けると共にこれと対向する側、即ち第２水平収納部３４ｂ側に特殊景品Ｗを受入可能な受入口を開口させ、円筒形状の筒全体が円筒中心を回動軸として回動自在に構成する。そして、円柱形状の第１水平収納部３４ａから水平スタッカ３５へ特殊景品Ｗを補充する場合には、前記排出口を水平スタッカ３５側へと向ける。そして、円筒内にある特殊景品Ｗを水平スタッカ３５へ落下させてい補充させるように形成してもい。この場合には第２水平収納部３４ｂおよび第３水平収納部３４ｃも同様に形成し、筒形状の核水平収納部３４を回転させることで、順次あるいは一斉に各水平収納部３４から下方へ位置する水平収納部３４あるいは水平スタッカ３５へ特殊景品Ｗを移動可能に形成してもよい。この場合にも、円筒の回転は、各種制御部１４によって制御させる。
【０１７４】
更に図２２には、第５実施形態を表す。尚、第５実施形態の説明も先の第３実施形態同様説明省略のため景品収納部９０を第１収納部９７および第２収納部９８のみから形成したものとして説明するが、第３収納部あるいはそれ以上多数の収納部から形成してもよい。第５実施形態は、第３実施形態同様に複数のスタッカ１５に対して一斉に特殊景品Ｗを移動可能に形成した例である。
【０１７５】
第５実施形態では、景品収納部９０は、第１収納部９７および第２収納部９８からなるり、下方には付勢支持部１７および付勢部１８を備える。これらは第１実施形態と同様である。また、スタッカ１５も第１実施形態と同様であり、第１スタッカ１５ａ乃至第３スタッカ１５ｄを備える。そして、スタッカ１５の景品収納部９０と反対側の先端には、スタッカ１５に載置された特殊景品Ｗが移動できないように阻害するスタッカ排出阻害装置３０を備える。
【０１７６】
スタッカ排出阻害装置３０は、スタッカ１５の景品昇降部１６側に、スタッカ１５に載置されている特殊景品Ｗの排出を阻止するように備えたる。そして、スタッカ排出阻害装置３０により、第１収納部９７からのスタッカ１５への特殊景品Ｗの移動力が阻害されて移動不要なスタッカ１５への特殊景品Ｗの移動をさせないですむように形成される。
更に第５実施形態では、移動手段１９は第１収納部９７からスタッカ１５へ特殊景品Ｗを移動させる第１収納移動手段４２および第２収納部９８から第１収納部９７へ特殊景品Ｗを移動させる第２収納移動手段４３からなり、第１収納移動手段４２は第１収納部９７の第２収納部９８側に設置され、第１収納部９７からスタッカ１５へ特殊景品Ｗを、第１スタッカ１５ａ乃至第４スタッカ１５ｄ毎に個別に移動可能に設置される。即ち第１実施形態における第１排出手段２４と同様に、移動させる特殊景品Ｗの背面側から押圧して移動させるように形成されている。第１収納移動手段４２は、第１スタッカ対応第１移動手段４２ａ、第２スタッカ対応第１移動手段４２ｂ、第３スタッカ対応第１移動手段４２ｃ、第４スタッカ対応第１移動手段４２ｄとからなり、全てのスタッカ分の特殊景品Ｗを一度に移動可能であり、且つ、各種制御部１４の制御によって全てのスタッカ１５分あるいはスタッカ１５ａ〜１５ｄを選択的に移動可能に制御される。
【０１７７】
第２収納移動手段４３は、第１収納移動手段４２同様第２収納部９８の第１収納部９７とは反対側に設ける。そして第２収納移動手段４３は、スタッカ１５ａ〜１５ｄと対応する枚数分の特殊景品Ｗを移動可能にスタッカ１５ａ〜１５ｄに対応する第１スタッカ対応第２移動手段４３ａ、第２スタッカ対応第２移動手段４３ｂ、第３スタッカ対応第２移動手段４３ｃ、第４スタッカ対応第２移動手段４３ｄとかなり、全てのスタッカ分の特殊景品Ｗを一度に移動可能であり、且つ、各種制御部１４の制御によって全てのスタッカ１５分あるいはスタッカ１５ａ〜１５ｄと対向する該移動手段４３ａ〜４３ｄを選択的に移動可能に制御される。
従って、第２収納移動手段４３は第２収納部９８内の特殊景品Ｗを第１収納部９７側へと纏めてあるいは選択的に移動可能である。
【０１７８】
そしてこれら移動は、例えば第１実施例同様第１スタッカ１５ａおよび第３スタッカ１５ｃからの５枚の特殊景品Ｗの排出があり、該スタッカ１５ａおよび１５ｃが空の状態の時には、第１収納移動手段４２がスタッカ１５側へと特殊景品Ｗを移動させる。この時第１収納移動手段４２が各種制御部１４によって選択的に移動される場合は、単にスタッカ１５ａおよび１５ｃに対応する第１スタッカ対応第１移動手段４２ａおよび第３スタッカ対応第１移動手段４２ｃのみが駆動されるので、特に問題なく移動される。
【０１７９】
また、個別制御はせずに全ての第１収納移動手段４２を一括して動作させ特殊景品Ｗを移動させるように形成すると、空でないスタッカ１５に載置されている特殊景品Ｗは新たに第１収納部９７から移動されてくる特殊景品Ｗによって押圧され、スタッカ１５から追い出され落下させられてしまう。
そこで、各スタッカ１５ａ〜１５ｄの第１収納部９７とは反対側の端部に、該落下を阻害するようにスタッカ排出阻害装置３０を設けるので、このスタッカ排出阻害装置３０によってその排出を阻害されるので、特殊景品Ｗを移動は行われない。
【０１８０】
第１収納部９７では、第１スタッカ１５ａおよび第３スタッカ１５ｃへ特殊景品Ｗを移動したので、該位置に特殊景品が存在していない。
【０１８１】
この状態で第２収納部９８の特殊景品を第１収納部９７へ移動させるべく第２収納移動手段４３を動作させる。この動作も、第１収納移動手段４２の動作同様選択的に行われた場合ではなく全て同時に行われた場合、第２スタッカ１５ｂおよび第４スタッカ１５ｄに対応する第１収納部９７および各スタッカ１５ｂ、１５ｄには既に特殊景品Ｗが存在するので、スタッカ排出阻害装置３０によって先頭の特殊景品Ｗが移動を阻害されているので、第２収納部９８から第１収納部９７へは特殊景品Ｗは移動されない。
【０１８２】
そして第５実施形態では、スタッカ１５から景品昇降部１６への排出は、第１収納移動手段４２によって行われる。即ち、第１スタッカ１５ａおよび第３スタッカ１５ｃから景品昇降部１６へ特殊景品Ｗを排出する場合には、このスタッカ１５ａおよび１５ｃに対応するスタッカ排出阻害装置３０を各種制御部１４が作動させて排出可能な状態としておき、この状態で全ての第１収納移動手段４２を移動させる。すると、第１収納部９７のスタッカ１５ａおよび１５ｃに対応する特殊景品のみが該スタッカ１５ａおよび１５ｃにある特殊景品Ｗを押圧し、昇降部１６側へ排出する。またその他のスタッカ１５ｂおよび１５ｄにある特殊景品Ｗはスタッカ排出阻害装置３０によって移動を阻害されているので、第１収納部９７の同位置の特殊景品Ｗも移動できないので移動されることなくその場に留まる。そして、スタッカ１５から特殊景品Ｗの払い出しを終了すると、スタッカ排出阻害装置３０は再び特殊景品Ｗの移動を阻害する位置へと戻される。
尚、このような状態を実現するには、第１収納移動手段４２および第２収納移動手段４３は、所定以上の力が加わると押圧ができずにその場に留まるかあるいは回動する等して押圧している特殊景品Ｗをよけて移動可能に構成する。
【０１８３】
第１収納部９７から特殊景品Ｗが移動されて第１収納部９７に空きの場所ができた状態で、第２収納部９８の特殊景品Ｗを移動させるべく第２収納移動手段４３を作動させると、前記同様、空きのある第１収納部９７位置の特殊景品Ｗのみが移動されることとなり、第１収納部９７は満杯の状態に戻る。
【０１８４】
また、第５実施形態では、昇降部１６には、スタッカ１５から移動された特殊景品Ｗを支持しておくための支持台１６ｄが備えられている。支持台１６ｄの中央には、少なくとも載置部１６ｅが進退可能な間隙２５ａを開口してある。
そして、載置部１６ｅは、第１実施形態に表したものとは異なり、載置部１６ｅより幅広に形成する翼部１６ｆを備える。翼部１６ｆは載置部１６ｅの間隙２５ａより幅狭な位置で回動自在に左右に設けられており、所定以上の力で押圧されると下方へ回動可能であり、所定未満の力では水平方向を維持するようにばね蝶番などにより回動可能に形成されている。
そして、支持台１６ｄへの特殊景品Ｗの払い出しの終了を受けて各種制御部１４がピニオン１６ｂを回転させて、載置部１６ｅを間隙２５ａから上方へと移動させる。この時、翼部１６ｆは所定以上の力で支持台１６ｄから反力を受けるので、間隙２５ａを通過可能にばね蝶番部分で回動して通過してくる。そして載置部１６ｅは支持台１６ｄ上にある特殊景品Ｗを更に押し上げ翼部１６ｆが間隙２５ａを通過したところで再び水平となるように回動して特殊景品Ｗを支持しながら上方へと移動してくる。以後、移動スペース２５を通過してから特殊景品Ｗを払い出すまでの動作は第１実施形態同様である。
尚、この実施例に表す景品昇降部１６の構成は、第４実施形態を除く他の実施形態で利用することが可能である。
【０１８５】
以下に、上記説明した第１実施形態乃至第５実施形態に表す景品払出装置１を備えた景品払出システムについて説明する。尚、この実施例では、景品払出システムは従来のパチンコホールにおける景品払出システムと同様である。
【０１８６】
景品払出システム１０１は、図２２に表すように、ネットワーク１０８を介して複数の機器が通信可能に接続されてなるパチンコホールシステムの中で、獲得した遊技媒体に対して払い出される特殊景品Ｗの払い出しに関するシステムである。
パチンコホールシステムでは、パチンコ機１０２が複数接続されてそれぞれのパチンコ機１０２の間にそれらパチンコ機１０２と接続される台間機１０３、１０４を備え、且つ複数のスロットマシン１０５およびメダル払出用の台間機１０６間に接続された台間機１０６がいわゆる「島」を形成し、島コンピュータ１０７を介してネットワーク１０８に接続されている。
また、ネットワーク１０８には、例えば、遊技媒体であるパチンコ玉やメダルの数量を計数して貯玉数とする計数機１０９、受け入れた会員用ＩＣカードまたは非会員用ＩＣカードの度数（有価価値）残高を現金で返却する精算機１１０、受け入れた会員用ＩＣカードや貯玉数の情報が記録されたレシートから貯玉数を参照し、貯玉数とその貯玉数により交換される景品種別と数量の表示を行い、景品払出装置１が併設される場合、景品払出装置１へ払い出す景品の種別と数量を指示する景品管理機（ＰＯＳ）１１１などが接続されている。
この発明にかかる特殊景品Ｗの払い出しは、これら景品管理機（ＰＯＳ）１１１から入力する払い出すべき特殊景品Ｗの種別と数量を指示する払出指示信号を景品払出装置１が入力し、払出指示信号に見合った特殊景品Ｗの払出を行うシステムである。
【０１８７】
尚、会員用ＩＣカードに記憶されたＩＤに基づいて管理装置１１３の記憶部に記憶された貯玉数があれば再プレー用貯玉数の情報を書き換える旨の要求信号を、ネットワーク１０８を介して管理装置１１３に送信し、再プレーを行える状態にする再プレー受付機１１２、受け入れた紙幣額に対して購入度数ボタンで選択された金額に対応する度数を、会員用ＩＣカードに更新したり、その金額に対応する度数が記憶された非会員用ＩＣカードの発行を行う発券機１２０、各遊技機の上部に取り付けられ、各遊技機における、例えば、スランプグラフ、スタート回数、大当たり回数などの情報を表示するデータ表示機１２１、各遊技機の、例えば、スランプグラフ、スタート回数、大当たり回数などの情報を検索可能であり、その検索情報を表示部に表示して遊技者に提供するデータ公開機１２２などが接続されている。
【０１８８】
そして、大間機１０３や計数機１０９などの各機器からの情報は、ネットワーク１０８を介して管理装置１１３に出力され、さらに、プロトコルコンバータ１１４、モデム１１５を介して外部の統括情報センタ１２４の統括管理装置１２５に送信される。この統括管理装置１２５には、例えば、他の遊技ホールからの情報も送信され、遊技ホール毎の集計やグループ遊技ホール全体における集計などを行うこともできる。また、統括管理装置１２５において集計された情報を各遊技ホールの管理装置１１３に備えられたパーソナルコンピュータ１１７などで見ることができる。一方、管理装置１１３からの情報は、ネットワーク１０８を介して各機器に出力することもできる。
【０１８９】
このように構成される景品払出システム１０１では、景品管理装置１１１が景品払出装置１と有線で電気的に接続されているが、ネットワーク１０８を介して接続されてもよい。勿論、複数の景品払出装置１を１台の景品管理装置１１１と接続してもよいし、複数台の景品管理装置１１１を一大の景品払出装置１と接続してもよいし、景品払出装置１および景品管理装置１１１の複数台を相互に通信可能に接続して形成してもよく、どのように形成しても、景品管理装置１１１から景品払出装置１が払出指示信号を入力して該信号に基づき特殊景品Ｗの払い出しが可能であればよい。
景品管理装置１１１は、図２２に表すように、ＩＣカード挿入口１１１ａ、入力用テンキーボード１１１ｂ、バーコードリーダ１１１ｃ、表示部１１１ｄ、特殊景品ボタン１１１ｅ、一般景品選択部１１１ｆで主に構成されている。
【０１９０】
景品管理機（ＰＯＳ）１１１は、ＩＣカード挿入口１１１ａより挿入されたＩＣカードより貯玉数を参照し、貯玉数とその貯玉数により交換される景品種別と数量の表示を行い、払い出す景品の種別と数量の情報を払出指示情報として景品払出装置１に出力するものである。ここで、ＩＣカードは、カード形状を有し、従来から遊技システムで使用されていたＩＣチップおよびアンテナを有する記憶媒体である。
【０１９１】
また、景品管理機（ＰＯＳ）１１１において、獲得した遊技媒体数を計数する計数機（図示しない）で発券されたレシートを用いる場合には、バーコードリーダ１１１ｃでレシートに記録されたバーコード情報を読み取り、その情報に基づく貯玉数の範囲で、景品の種類と数量の情報を景品払出装置１に出力するものである。
【０１９２】
入力用テンキーボード１１１ｂは、ＩＣカードの暗証番号の入力、景品払出装置１０への動作指示などを行う際の入力手段として用いられる。
【０１９３】
特殊景品ボタン１１１ｅは、例えば、大景品（５０００円）、中景品（２５００円）、小景品（１００円）などの特殊景品Ｗを景品払出装置１０から払い出す際に押されるボタンである。特殊景品ボタン１１１ｅが押された場合には、景品管理機（ＰＯＳ）１１１は、貯玉数より端玉（景品と交換後の残り玉）を最小にするよう計算し、払い出す特殊景品Ｗの種類、数量を決定し、その情報を景品払出装置１に出力する。
【０１９４】
一般景品選択部１１１ｆは、例えば、タバコ、ジュースなどの一般景品と交換する場合に、交換したい景品や個数を選択する入力手段である。一般景品と交換する場合には、店員などが景品を払い出すことが多いが、景品払出装置などで自動的に景品を払い出すこともできる。
【０１９５】
そして景品管理機１１１は、図２７に表すように、制御部１１２、ＩＣカード処理部１１３、記録媒体処理部１１４、選択ボタン検知部１１５、景品払出処理部１１６の各手段を備える。
【０１９６】
制御部１１２は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部１１２では、ＩＣカード処理部１１３、記録媒体処理部１１４、選択ボタン検知部１１５、景品払出処理部１１６の各機部間の信号の出入力を制御している。
【０１９７】
ＩＣカード処理部１１３は、ＩＣカード挿入口１１１ａから挿入されたＩＣカードに記憶された、例えば、有価情報などの読み取り、その読み取った情報の制御部１１２への出力、制御部１１２からの更新された有価情報などのＩＣカードへの書き込みなどを行うもので、例えば、リーダライタなどで構成される。ここで、有価情報とは、貯玉数または貯メダル数の情報である。
【０１９８】
記録媒体処理部１１４は、バーコードリーダ１１１ｃなどによって、レシートに記録されたバーコード情報から貯玉数または貯メダル数の有価情報を読み取り、その読み取った情報を制御部１１２に出力するものである。
【０１９９】
ＩＣカード処理部１１３や記録媒体処理部１１４で読み取られた、例えば、貯玉数または貯メダル数などの情報は、表示部１１１ｄに表示される。また、表示部１１１ｄには、景品交換される景品の種類や個数なども表示させる。
【０２００】
選択ボタン検知部１１５は、入力用テンキーボード１１１ｂ、特殊景品ボタン１１１ｅ、一般景品選択部１１１ｆの選択ボタンが押されたことを検知し、その押された信号に基づいて、制御部１１２に信号を出力するものである。
【０２０１】
景品払出処理部１１６は、選択ボタン検知部１１５で検知された信号に基づいて、例えば、景品払出装置１０に払い出される特殊景品Ｗの種類や個数などの景品払出情報を出力するものである。また、景品払出処理部１１６は、景品払出装置１０の主制御手段１３と回線を介して接続され、信号の入出力が可能である。
【０２０２】
そして、制御部１１２によって制御される、ＩＣカード処理部１１３、記録媒体処理部１１４、選択ボタン検知部１１５、景品払出処理部１１６の各機器部は、次のように動作する。
【０２０３】
以下に、景品払出装置１および景品管理装置１１１による景品払出方法を図２４に基づき各ステップを追うようにして説明する。尚、説明を簡単にするために景品搬送ユニット１２の数を１として説明する。
【０２０４】
まず、ＩＣカード処理部１１３においてＩＣカードが挿入されＩＣカードが読み込んだか否かを判定するカード判定ステップＳ１が実行される。
【０２０５】
カード判定ステップ１で、Ｎｏと判断された場合には、続けて空きスタッカ充填ステップＳ２を実行し、リターンステップＳ３が実行されて再びカード判定ステップ１が実行される。また、Ｙｅｓと判断された場合には、続けて払出数量指示情報受領ステップＳ４が実行される。
【０２０６】
払出数量指示情報受領ステップＳ４では、景品払出装置１の各動作部である昇降部１６、付勢支持部１７、付勢部１９、移動手段１９第１排出手段２４、押出排出部２６、シャッター装置２７などに払い出し準備を行う。尚、この時点では、未だ払い出すべき特殊景品Ｗの数量などは指示されていない。
【０２０７】
払出数量指示情報受領ステップＳ４に次いで、遊技媒体数入力ステップＳ５が実行される。遊技媒体数入力ステップＳ５では、例えば玉数計数機１０９が計数した玉数や、精算機１１０により精算された情報が、ネットワーク１０８を介して景品管理装置１１１へ入力された獲得遊技媒体数情報である。また、ホールスタッフがレシートに印刷されたバーコードをバーコードリーダ１１１ｃから入力させたり、テンキー１１１ｆを操作した情報によって得てもよい。この払出数量指示情報受領ステップＳ４では遊技媒体数を受領し、特殊景品Ｗ払出枚数を算出するデータとして用い、この払出数量指示情報受領ステップＳ４で実質的に玉数から払出特殊景品Ｗの数量を算出するようにしてもよいが、景品管理装置１１１から払い出すべき特殊景品Ｗの数量を直接入力するものとする。
尚、入力される遊技媒体数は、管理装置１１３など、他の装置から入力される個々の情報であったり、これら全ての情報であってもよく、システム構築に合わせて選択されれば足りる。
【０２０８】
次いで払出指示判断ステップＳ６が実行される。払出指示判断ステップＳ６では、景品管理装置１１１からの払出指示信号があるか否かを判断する。景品管理装置１１１が最終的に景品払出処理部１１６による払出指示信号が景品払出装置１へ出力されたか否かを判断するステップである。払出指示判断ステップＳ６でＮｏと判断されたときには次いでリターンステップＳ７が実行される。
また、払出指示判断ステップＳ６でＹｅｓと判断された場合には、次いで払出算出ステップＳ８が実行される。
【０２０９】
払出算出ステップＳ８では、入力した払出数量指示情報に基づいて払い出すべきスタッカ１５ａ〜１５ｄの選択が行われる。
例えばスタッカ１５ａ〜１５ｄの特殊景品Ｗの最大収容枚数がそれぞれ１枚、２枚、４枚、８枚の場合であれば、まず入力した払出数量指示情報による張り出し枚数が、これらを全て加えた一度に払出可能な枚数であるか否かを算出する。具体的には、「Ｐ＞＝１５」であれば、「選択スタッカ＝第１スタッカ１５ａ＋第２スタッカ１５ｂ＋第３スタッカ１５ｃ＋第４スタッカ１５ｄ」で「払出スタッカ＝全スタッカ」と演算され全スタッカから払い出すように選択する。尚、ここで表す「１５」とは一度に払い出せる最大枚数のことである。
また、「Ｐ＜１５」であれば、２進数化された「Ｐ」の各ビットが「１」（即ち、ビットＯＮ）に対応する最大収容枚数のスタッカをスタッカ１５ａ〜１５ｄから選択し、例えば数量が５であれば、２進数の「０１０１」なので第１ビット「１」」に対応するのが最大収容枚数が１枚の第１スタッカ１５ａであり、第２ビット「０」」に対応するのが最大収容枚数２枚の第２スタッカ１５ｂであり、第３ビット「１」」に対応するのは最大収容枚数４枚の第３スタッカ１５ｃであり、第４ビット「０」に対応するのが最大収容枚数８枚の第４スタッカ１５ｄである。そしてビットＯＮ、即ちビット値が「１」であるビットに対応する第１スタッカ１５ａと第３スタッカ１５ｃとが払出スタッカとして選択され「払出スタッカ＝第１スタッカ１５ａ＋第３スタッカ１５ｃ」と演算される。
【０２１０】
尚、第１スタッカ１５ａの最大収容枚数が１枚であり、第２スタッカ１５ｂの最大収容枚数が２枚であり、第３スタッカ１５ｃの最大収容枚数が３であり、第４スタッカ１５ｄの最大収容枚数が５枚の場合には、
「Ｐ＞＝１１」で全スタッカ選択
「Ｐ＝１０」では第２スタッカ１５ｂ乃至第４スタッカ１５ｄ（全スタッカ）
「Ｐ＝９」では第１スタッカ１５ｂ＋第３スタッカ１５ｃ＋乃至第４スタッカ１５ｄ
「Ｐ＝８」では第３スタッカ１５ｃ＋第４スタッカ１５ｄ
「Ｐ＝７」では第２スタッカ１５ｂ＋第４スタッカ１５ｄ
「Ｐ＝６」では第１スタッカ１５ａ＋乃至第４スタッカ１５ｄ
「Ｐ＝５」では乃至第４スタッカ１５ｄ
「Ｐ＝４」では第１スタッカ１５ａ＋第３スタッカ１５ｃ
「Ｐ＝３」では第１スタッカ１５ａ＋第２スタッカ１５ｂ
「Ｐ＝２」では第２スタッカ１５ｂ
「Ｐ＝１」では第１スタッカ１５ａ
がそれぞれ選択されることとなり、この選択の演算式は予め主制御手段１３に予めプログラミングして記憶させておく。
これら演算は主制御手段１３で行っても各種制御部１４で行ってもよく、予めプログラムさえしておけばよい。尚、景品搬送ユニット１２を複数も受けた場合には、各種制御部１４は対応する景品搬送ユニット１２の演算するように形成してもよい。
【０２１１】
払出算出ステップＳ８に続いてはスタッカ払出ステップＳ９が実行される。スタッカ払出ステップＳ９では、払出算出ステップＳ８で払い出しさせるスタッカの特定が終了しているので、選択されたスタッカへ景品を払い出すように指示するステップである。
具体的には各種制御部１４が、自身が制御している前記選択されたスタッカから特殊景品Ｗを払い出せるように排出手段である第１排出手段２４ａ〜２４ｄから、前記選択されたスタッカに所属している第１排出手段２４を排出動作させる。払出枚数が５枚である場合には、第１スタッカ排出手段２４ａおよび第３スタッカ排出手段２４ｃを作動させて、当該スタッカ１５ａ、１５ｃから特殊景品Ｗを払い出させる。
以後の特殊景品Ｗの払い出し手順は第１実施形態で説明したとおりであり各種制御部１４がそれぞれ制御する。
スタッカ払出ステップＳ９が終了すると残払出減算ステップＳ１０が実行される。
【０２１２】
残払出減算ステップＳ１０では、例えば払出指示情報による払出枚数が１５以上の時には、１度の払い出しでは全ての払い出しが終了しなかったときに、再度残りの払出枚数を払い出さなければならないので、複数回の払出が必要となるかどうかの演算をさせるためのステップであり、「Ｐ＝Ｐ−１５」と置き換える。即ち払い出すべき枚数が１５枚を超えていればプラスとなり、１５枚以下であれば０あるいはマイナスとなるので、未払出の枚数が算出可能である。勿論「１５」は各スタッカの構成によって異なることはいうまでもない。
残払出減算ステップＳ１０に続けては払出完了確認ステップＳ１１が実行される。払出完了確認ステップＳ１１は、判断ステップであり、残払出減算ステップＳ１０でサイン出して置き換えた「Ｐ」の値が「０」以下（「Ｐ＜＝０」）であればＹｅｓと判断し続けて払出指示デフォルト設定ステップＳ１２が実行されＮｏであれば再び払出算出ステップＳ８を実行させる。
【０２１３】
払出指示デフォルト設定ステップＳ１２では、払出が終了したので、次回の払出指示があるまで払い出しの有無を監視可能とするために「払出指示←Ｎｏ」と置き換えるステップである。
払出指示デフォルト設定ステップＳ１２に続けては収納部確認ステップＳ１３を実行させる。
【０２１４】
収納部確認ステップＳ１３では、各景品収納部９０に収容している特殊景Ｗがなくなったか否かを判断するステップである。
この判断は、各景品収納部９０に、例えば付勢支持部１７が最上部に到達したことを検知可能なセンサ（図示せず）を備えており、付勢支持部１７が到達したとセンサ（図示せず）が検知し各種制御部１４へ検出信号を出力した場合に該検出信号に対応してフラグを立てる等してＲＡＭなどに一時的に記憶しておき、該フラグが立っているか否かを判断するなどして行えばよい。
収納部確認ステップＳ１３でＹｅｓと判断された場合には、次いで収納部選択ステップＳ１４が実行され、Ｎｏと判断された場合には続けてモード選択ステップＳ１５が実行される。
【０２１５】
収納部選択ステップＳ１４では、前のステップで、景品収納部９０に特殊景品Ｗがなくなったと判断されたので、他の景品収納部９０（景品カートリッジ９）を選択するステップである。ここで行われる選択は、各種制御部１４へ主制御手段１３が問い合わせてあった（あるいは常に各種制御部１４から主制御手段１３へ収納情報を通知されている）結果、特殊景品Ｗが収納されている景品収納部９０を選択する。そして、以後特殊景品Ｗ払い出しに供される景品収納部９０は新たに選択された景品収納部９０へと変更される。
ついでモード選択ステップＳ１５が実行される。
【０２１６】
モード選択ステップＳ１５では、現在のモード設定がどのようになっているかによって払い出し位置へセット機構を移動させて素早く対応させるためのステップである。具体的には通常モードは一物一価モードである「第１モード」であり、第２モードは一物二価モードである「第２モード」のいずれのモードで使用されているかを判断するステップであり、第１モードであれば次いでポジション変更ステップＳ１６が実行され、第２モードであると判断された場合には、ホームポジションステップＳ１７が実行される。
【０２１７】
ポジション変更ステップＳ１６では、払出数量指示情報受領ステップＳ４同様、景品払出装置１の各動作部である昇降部１６、付勢支持部１７、付勢部１９、移動手段１９第１排出手段２４、押出排出部２６、シャッター装置２７などに払い出し準備を行わせ、直ぐに駆動可能な位置へと移動させるステップである。
【０２１８】
ホームポジションステップＳ１７では、景品払出装置１の各動作部である昇降部１６、付勢支持部１７、付勢部１９、移動手段１９第１排出手段２４、押出排出部２６、シャッター装置２７などの各手段をホームポジションへ移動させ、待機させるステップである。
【０２１９】
ポジション変更ステップＳ１６あるいはホームポジションステップＳ１７に続けてはリターンステップＳ１８が実行される再びステップＳ１から実行される。
【０２２０】
尚、上記フローチャートは、１つの景品カートリッジ９からのみ払い出す場合であり、複数の景品カートリッジ９から同時に払い出しを行うようにすることも可能である。
【産業上の利用可能性】
【０２２１】
この発明は、パチンコ遊技場などで、景品を来出すための景品払出装置として利用可能であり、同様に景品払出システムとしても利用可能である。
【符号の説明】
【０２２２】
ｐ〜ｔ  位置センサ
１  景品払出装置
２  景品払出ユニット
２１  上板
３  景品払出口
４  景品押出部
５  排出天板
６  払出口指示点灯部
７  表示部
８  操作表示パネル
８ａ  表示部
８ｂ  エラー発生時点灯部
８ｃ  併設景品管理装置数点灯部
８ｄ  レディ点灯部
１２  景品搬送ユニット
９  景品カートリッジ
９０  景品収納部
９０ａ  側面
９０ｂ  切欠開口部
９０ｃ  開閉仕切り突部
９１  景品ストッパ
９２  ガイド
９３  把持部
９４  カートリッジカバー
９５  装着把持部
９６  マグネット用プレート
９７  第１収納部
９８  第２収納部
９９  第３収納部
１０  上部ユニット
１１  下部ユニット
１２ａ  景品カートリッジ挿入口
１３  主制御手段
１４  各種制御手段
１５  スタッカ
１５ａ〜１５ｄ  各スタッカ
１６  景品昇降部
１６ａ  載置部
１６ｂ  ラック部
１６ｃ  ピニオン
１６ｄ  支持台
１６ｅ  載置部
１６ｆ  翼部
１７  付勢支持部
１８  付勢部
１９  移動手段
２１  第１収納移動手段
２２  第２収納移動手段
２３  第３収納移動手段
２４  第１排出手段
２４ａ  第１スタッカ排出手段
２４ｂ  第２スタッカ排出手段
２４ｃ  第３スタッカ排出手段
２４ｄ  第４スタッカ排出手段
２５  移動スペース
２６  押出排出部
２６ａ  排出通路
２６ｂ  押出装置
２７  シャッター装置
２８  阻止ソレノイド装置
２９  纏め移動装置
２９ａ  第１纏め移動装置
２９ｂ  第２纏め移動装置
３０  スタッカ排出阻害装置
３１  傾斜排出装置
３２  傾斜ソレノイド
３３  位置決め壁部
３４  水平収納部
３４ａ  第１水平収納部
３４ｂ  第２水平収納部
３４ｃ  第３水平収納部
３５  水平スタッカ
３５ａ  第１水平スタッカ
３５ｂ  第２水平スタッカ
３５ｃ  第３水平スタッカ
３５ｄ  第４水平スタッカ
３６  落下排出手段
３６ａ  第１落下排出手段
３６ｂ  第２落下排出手段
３６ｃ  第３落下排出手段
３６ｄ  第４落下排出手段
３７  第１落下移動手段
３７ａ  第１スタッカ対応第１落下移動手段
３７ｂ  第２スタッカ対応第１落下移動手段
３７ｃ  第３スタッカ対応第１落下移動手段
３７ｄ  第４スタッカ対応第１落下移動手段
３８  第２落下移動手段
３８ａ  第１スタッカ対応第２落下移動手段
３８ｂ  第１スタッカ対応第２落下移動手段
３８ｃ  第３スタッカ対応第２落下移動手段
３８ｄ  第４スタッカ対応第２落下移動手段
３９  第３落下移動手段
３９ａ  第１スタッカ対応第３落下移動手段
３９ｂ  第１スタッカ対応第３落下移動手段
３９ｃ  第３スタッカ対応第３落下移動手段
３９ｄ  第４スタッカ対応第３落下移動手段
４０  引出部
４０ａ  湾曲部
４１  引出移動手段
４２  第１収納移動手段
４３  第２収納移動手段
【図１】
2010233878.tif 000003
【図２】
2010233878.tif 000004
【図３】
2010233878.tif 000005
【図４】
2010233878.tif 000006
【図５】
2010233878.tif 000007
【図６】
2010233878.tif 000008
【図７】
2010233878.tif 000009
【図８】
2010233878.tif 000010
【図９】
2010233878.tif 000011
【図１０】
2010233878.tif 000012
【図１１】
2010233878.tif 000013
【図１２】
2010233878.tif 000014
【図１３】
2010233878.tif 000015
【図１４】
2010233878.tif 000016
【図１５】
2010233878.tif 000017
【図１６】
2010233878.tif 000018
【図１７】
2010233878.tif 000019
【図１８】
2010233878.tif 000020
【図１９】
2010233878.tif 000021
【図２０】
2010233878.tif 000022
【図２１】
2010233878.tif 000023
【図２２】
2010233878.tif 000024
【図２３】
2010233878.tif 000025
【図２４】
2010233878.tif 000026
【図２５】
2010233878.tif 000027
【図２６】
2010233878.tif 000028
【図２７】
2010233878.tif 000029
【図２８】
2010233878.tif 000030
【図２９】
2010233878.tif 000031
【図３０】
2010233878.tif 000032